(57)【特許請求の範囲】
【請求項１】
ネットワークにおいてフレームを伝送する複数の伝送装置をそなえた伝送システムであって、
前記複数の伝送装置に接続されて前記フレームを送受信する複数の第１ポートと、
前記複数の第１ポートのうち前記フレームを受信した第１ポートと、当該第１ポートで受信した前記フレームに含まれる送信元アドレスとの間の対応関係を示すアドレスエントリを管理する管理部と、
前記複数の第１ポートのいずれかで受信したフレームに含まれる送信先アドレスに関する前記アドレスエントリが前記管理部で管理されている場合、前記アドレスエントリに基づいて、前記複数の第１ポートのいずれかで受信したフレームを前記複数の第１ポートのうち前記送信先アドレスと対応付けられた第１ポートに転送する転送制御部と、をそなえる宛先管理装置をそなえ、
前記複数の伝送装置のうちの少なくとも１つの伝送装置が、
前記ネットワーク内の他の伝送装置に接続されて前記フレームを送受信する複数の第２ポートと、
前記宛先管理装置に接続される第３ポートと、
前記複数の第２ポートのうち前記フレームを受信した第２ポートと、当該第２ポートで受信した前記フレームに含まれる送信元アドレスとの間の対応関係を示すアドレスエントリを記憶する記憶部と、
前記複数の第２ポートのいずれかで受信したフレームに含まれる送信先アドレスに関する前記アドレスエントリが前記記憶部に記憶されていない場合、前記複数の第２ポートのいずれかで受信したフレームを前記第３ポートにのみ送信する送信制御部と、をそなえる、
ことを特徴とする、伝送システム。
【請求項２】
前記送信制御部が、
前記複数の第２ポートのいずれかで受信した前記フレームに含まれる前記送信先アドレスに関する前記アドレスエントリが前記記憶部に記憶されている場合、前記アドレスエントリに基づいて、前記複数の第２ポートのいずれかで受信したフレームを前記第３ポートと前記複数の第２ポートのうち前記送信先アドレスに対応付けられた第２ポートとに送信する、
ことを特徴とする、請求項１記載の伝送システム。
【請求項３】
前記送信制御部が、
前記複数の第２ポートのいずれかで受信したフレームに含まれる送信先アドレスに関する前記アドレスエントリが前記記憶部に記憶されていない場合、前記複数の第２ポートのいずれかで受信したフレームが未学習であることを示す第１の識別情報を当該フレームに付与する一方、
前記複数の第２ポートのいずれかで受信したフレームに含まれる送信先アドレスに関する前記アドレスエントリが前記記憶部に記憶されている場合、前記複数の第２ポートのいずれかで受信したフレームが学習済みであることを示す第２の識別情報を当該フレームに付与する、
ことを特徴とする、請求項１記載の伝送システム。
【請求項４】
前記第３ポートが、
前記フレームの送信元を少なくとも示すラベル情報を有するラベル付きフレームを前記宛先管理装置から受信し、
前記記憶部が、
前記第３ポートで受信した前記ラベル付きフレームに含まれる送信元アドレスと、前記複数の第２ポートのうち、前記ラベル情報により示される前記フレームの送信元に接続される第２ポートとの間の対応関係を示すアドレスエントリを記憶する、
ことを特徴とする、請求項１記載の伝送システム。
【請求項５】
前記転送制御部が、
前記複数の第１ポートのいずれかで受信したフレームが有する所定の識別情報に基づいて、当該フレームの転送先を決定する、
ことを特徴とする、請求項１記載の伝送システム。
【請求項６】
ネットワークにおいてフレームを伝送する複数の伝送装置をそなえた伝送システムにおける前記複数の伝送装置のうちの一の伝送装置であって、
前記ネットワーク内の他の伝送装置に接続されて前記フレームを送受信する複数の第２ポートと、
前記複数の伝送装置に接続されて前記フレームを送受信する複数の第１ポートと、前記複数の第１ポートのうち前記フレームを受信した第１ポートと、当該第１ポートで受信した前記フレームに含まれる送信元アドレスとの間の対応関係を示すアドレスエントリを管理する管理部と、前記複数の第１ポートのいずれかで受信したフレームに含まれる送信先アドレスに関する前記アドレスエントリが前記管理部で管理されている場合、前記アドレスエントリに基づいて、前記複数の第１ポートのいずれかで受信したフレームを前記複数の第１ポートのうち前記送信先アドレスと対応付けられた第１ポートに転送する転送制御部と、をそなえる宛先管理装置に接続される第３ポートと、
前記複数の第２ポートのうち前記フレームを受信した第２ポートと、当該第２ポートで受信した前記フレームに含まれる送信元アドレスとの間の対応関係を示すアドレスエントリを記憶する記憶部と、
前記複数の第２ポートのいずれかで受信したフレームに含まれる送信先アドレスに関する前記アドレスエントリが前記記憶部に記憶されていない場合、前記複数の第２ポートのいずれかで受信したフレームを前記第３ポートにのみ送信する送信制御部と、をそなえる、
ことを特徴とする、伝送装置。
【請求項７】
ネットワークにおいてフレームを伝送する複数の伝送装置をそなえた伝送システムに用いられる宛先管理装置であって、
前記複数の伝送装置に接続されて前記フレームを送受信する複数の第１ポートと、
前記複数の第１ポートのうち前記フレームを受信した第１ポートと、当該第１ポートで受信した前記フレームに含まれる送信元アドレスとの間の対応関係を示すアドレスエントリを管理する管理部と、
前記複数の第１ポートのいずれかで受信したフレームに含まれる送信先アドレスに関する前記アドレスエントリが前記管理部で管理されている場合、前記アドレスエントリに基づいて、前記複数の第１ポートのいずれかで受信したフレームを前記複数の第１ポートのうち前記送信先アドレスと対応付けられた第１ポートに転送する転送制御部と、をそなえ、
前記転送制御部が、
前記複数の第１ポートのいずれかで受信したフレームが有するとともに、前記伝送装置において当該フレームが学習済みであるか否かを示す所定の識別情報に基づいて、当該フレームの転送先を決定する、
ことを特徴とする、宛先管理装置。
【請求項８】
ネットワークにおいてフレームを伝送する複数の伝送装置をそなえた伝送システムにおける前記複数の伝送装置のうちの一の伝送装置に用いられる制御ユニットであって、
前記一の伝送装置が、
前記ネットワーク内の他の伝送装置に接続されて前記フレームを送受信する複数の第２ポートと、
前記複数の伝送装置に接続されて前記フレームを送受信する複数の第１ポートと、前記複数の第１ポートのうち前記フレームを受信した第１ポートと、当該第１ポートで受信した前記フレームに含まれる送信元アドレスとの間の対応関係を示すアドレスエントリを管理する管理部と、前記複数の第１ポートのいずれかで受信したフレームに含まれる送信先アドレスに関する前記アドレスエントリが前記管理部で管理されている場合、前記アドレスエントリに基づいて、前記複数の第１ポートのいずれかで受信したフレームを前記複数の第１ポートのうち前記送信先アドレスと対応付けられた第１ポートに転送する転送制御部と、をそなえる宛先管理装置に接続される第３ポートと、
前記複数の第２ポートのうち前記フレームを受信した第２ポートと、当該第２ポートで受信した前記フレームに含まれる送信元アドレスとの間の対応関係を示すアドレスエントリを記憶する記憶部と、をそなえ、
前記制御ユニットが、
前記複数の第２ポートのいずれかで受信したフレームに含まれる送信先アドレスに関する前記アドレスエントリが前記記憶部に記憶されているかどうかを判定する手段と、
前記複数の第２ポートのいずれかで受信したフレームに含まれる送信先アドレスに関する前記アドレスエントリが前記記憶部に記憶されていないと判定した場合、前記複数の第２ポートのいずれかで受信したフレームを前記第３ポートにのみ送信する制御を行なう手段と、をそなえる、
ことを特徴とする、制御ユニット。
【請求項９】
ネットワークにおいてフレームを伝送する複数の伝送装置をそなえた伝送システムにおける前記複数の伝送装置のうちの一の伝送装置であって、前記ネットワーク内の他の伝送装置に接続されて前記フレームを送受信する複数の第２ポートと、前記複数の伝送装置に接続されて前記フレームを送受信する複数の第１ポート，前記複数の第１ポートのうち前記フレームを受信した第１ポートと当該第１ポートで受信した前記フレームに含まれる送信元アドレスとの間の対応関係を示すアドレスエントリを管理する管理部，及び，前記複数の第１ポートのいずれかで受信したフレームに含まれる送信先アドレスに関する前記アドレスエントリが前記管理部で管理されている場合、前記アドレスエントリに基づいて、前記複数の第１ポートのいずれかで受信したフレームを前記複数の第１ポートのうち前記送信先アドレスと対応付けられた第１ポートに転送する転送制御部をそなえる宛先管理装置に接続される第３ポートと、前記複数の第２ポートのうち前記フレームを受信した第２ポートと、当該第２ポートで受信した前記フレームに含まれる送信元アドレスとの間の対応関係を示すアドレスエントリを記憶する記憶部とをそなえる前記一の伝送装置において、前記フレームを伝送する機能をコンピュータに実現させるための伝送制御プログラムであって、
前記複数の第２ポートのいずれかで受信したフレームに含まれる送信先アドレスに関する前記アドレスエントリが前記記憶部に記憶されているかどうかを判定する判定機能と、
前記判定機能による判定の結果、前記複数の第２ポートのいずれかで受信したフレームに含まれる送信先アドレスに関する前記アドレスエントリが前記記憶部に記憶されていないと判定された場合、前記複数の第２ポートのいずれかで受信したフレームを前記第３ポートにのみ送信する制御を行なう伝送制御機能と、を前記コンピュータに実現させる、
ことを特徴とする、伝送制御プログラム。
【請求項１０】
ネットワークにおいてフレームを伝送する複数の伝送装置をそなえた伝送システムにおける前記複数の伝送装置のうちの一の伝送装置であって、前記ネットワーク内の他の伝送装置に接続されて前記フレームを送受信する複数の第２ポートと、前記複数の伝送装置に接続されて前記フレームを送受信する複数の第１ポート，前記複数の第１ポートのうち前記フレームを受信した第１ポートと当該第１ポートで受信した前記フレームに含まれる送信元アドレスとの間の対応関係を示すアドレスエントリを管理する管理部，及び，前記複数の第１ポートのいずれかで受信したフレームに含まれる送信先アドレスに関する前記アドレスエントリが前記管理部で管理されている場合、前記アドレスエントリに基づいて、前記複数の第１ポートのいずれかで受信したフレームを前記複数の第１ポートのうち前記送信先アドレスと対応付けられた第１ポートに転送する転送制御部をそなえる宛先管理装置に接続される第３ポートと、前記複数の第２ポートのうち前記フレームを受信した第２ポートと、当該第２ポートで受信した前記フレームに含まれる送信元アドレスとの間の対応関係を示すアドレスエントリを記憶する記憶部とをそなえる前記一の伝送装置において、前記フレームを伝送する機能をコンピュータに実現させるための伝送制御プログラムを記録したコンピュータ読み取り可能な記録媒体であって、
前記複数の第２ポートのいずれかで受信したフレームに含まれる送信先アドレスに関する前記アドレスエントリが前記記憶部に記憶されているかどうかを判定する判定機能と、
前記判定機能による判定の結果、前記複数の第２ポートのいずれかで受信したフレームに含まれる送信先アドレスに関する前記アドレスエントリが前記記憶部に記憶されていないと判定された場合、前記複数の第２ポートのいずれかで受信したフレームを前記第３ポートにのみ送信する制御を行なう伝送制御機能と、を前記コンピュータに実現させる、
ことを特徴とする、伝送制御プログラムを記録したコンピュータ読み取り可能な記録媒体。
【発明の詳細な説明】
【技術分野】
【０００１】
本発明は、伝送システム、伝送装置、宛先管理装置、制御ユニット、伝送制御プログラム及び同プログラムを記録したコンピュータ読み取り可能な記録媒体に関する。前記伝送システムは、例えば、フレームが有する送信先アドレスに基づいてフレームを伝送するネットワークに用いられる。
【背景技術】
【０００２】
イーサネット（登録商標）は、装置コストが安価であり、かつ通信速度の選択肢が多く、管理運用が容易である。そのため、企業内ＬＡＮ等のＬＡＮや通信キャリアが提供するＬ２−ＶＰＮ（Layer2-Virtual Private Network）等の広域ＬＡＮサービスにおいて、イーサネット（登録商標）は広く普及が進んでいる。
ここで、広域ＬＡＮサービスは、レイヤ２の上位プロトコルであるレイヤ３のプロトコルを選ばないネットワーク、すなわちＩＰ（Internet Protocol）トポロジフリーなネットワークであり、ユーザが自由にＩＰネットワークを設計及び運用することができる。
【０００３】
ユーザは、例えば、ＲＩＰ／ＯＳＰＦ（Routing Information Protocol/Open Shortest Path First）等のダイナミックルーティングプロトコルを用いて、動的な経路制御を行なうことが可能である。一方、ユーザは、例えば、スタティックルートを用いてシンプルな経路設定を行なうことも可能である。
なお、下記特許文献１には、フレームの交換を行なうフレームスイッチング装置において、あるアドレスに対するフラッディングの発生が所定条件を満たすか否かを判定し、上記条件を満たすアドレスと同じアドレスのアドレスエントリを記憶している他のスイッチから送信される所定の通知を受信し、上記条件を満たすアドレスと上記通知を受信したポートとを対応付けるアドレスエントリを登録する方法が提案されている。
【０００４】
また、下記特許文献２には、あるＬＡＮ端末において他のＬＡＮ端末のＭＡＣアドレスが未登録の場合、ルータに対してアドレス解決要求が送出され、前記ルータは、前記他のＬＡＮ端末に対してアドレス解決要求を送出し、前記他のＬＡＮ端末から返送されたアドレス解決情報を基にアドレス解決テーブルを更新し、前記のあるＬＡＮ端末に対してアドレス解決情報を送出する方法が提案されている。
【０００５】
さらに、下記特許文献３には、スイッチングハブにＡＲＰサーバモジュールを設け、インターフェースモジュールが受信したブロードキャストフレームを全て上記ＡＲＰサーバモジュールに渡し、このＡＲＰサーバモジュールがこのフレームの送信元ＭＡＣアドレスと送信元ネットワークアドレスとを学習して登録すると共に、そのネットワークアドレスに対応しているエントリが存在している場合には、ＡＲＰ応答フレームを組み立てて受信ポートから応答する方法が提案されている。
【先行技術文献】
【特許文献】
【０００６】
【特許文献１】特開２０１０−０４５６５７号
【特許文献２】特開２００２−１１１７００号
【特許文献３】特開平０９−０６４９００号
【発明の概要】
【発明が解決しようとする課題】
【０００７】
イーサネット（登録商標）スイッチなどであるレイヤ２スイッチは、ＭＡＣ学習機能を有しており、ＭＡＣテーブルを生成する。ＭＡＣテーブルは、フォワーディングテーブルやＭＡＣアドレステーブルと呼ばれることもある。
図１の（Ａ）及び図１の（Ｂ）はＭＡＣ学習法の説明図である。図１の（Ａ）に示すレイヤ２スイッチＳＷ１は、送信先ＭＡＣアドレスｂ及び送信元ＭＡＣアドレスａを有するＭＡＣフレームＦＲＡをポートｐＡにおいて受信する。
【０００８】
レイヤ２スイッチＳＷ１は、受信ＭＡＣフレームの送信元ＭＡＣアドレスを参照することにより、どのポートにどのＭＡＣアドレスを持ったノードが接続されているかを学習する。
図１の（Ｂ）に示す例においてレイヤ２スイッチＳＷ１は、ＭＡＣフレームＦＲＡを受信したポートｐＡに、ＭＡＣフレームＦＲＡの送信元ＭＡＣアドレスａを有するノードが接続されていることを学習する。これにより、レイヤ２スイッチＳＷ１は、ＭＡＣアドレスａとポートｐＡとの間の対応関係を示すアドレスエントリをＭＡＣテーブルＭＴ１に登録する。
【０００９】
レイヤ２スイッチＳＷ１は、上記学習したＭＡＣテーブルＭＴ１に基づいて、受信したＭＡＣフレームＦＲＡを出力する出力ポートを決定する。このとき、送信先ＭＡＣアドレスｂがＭＡＣテーブルＭＴ１に登録されているので、レイヤ２スイッチＳＷ１は、送信先ＭＡＣアドレスｂと対応付けられたポートｐＢへＭＡＣフレームＦＲＡを送信することができる。
【００１０】
一方、送信先ＭＡＣアドレスがＭＡＣテーブルＭＴ１に登録されていなければ、レイヤ２スイッチＳＷ１は、受信ポート以外の他の全てのポートからＭＡＣフレームＦＲＡを出力する。この処理をフラッディングと呼ぶ。
図２の（Ａ）及び図２の（Ｂ）は、送信先ＭＡＣアドレスが学習されていない場合のフラッディング処理の説明図である。図２の（Ａ）に示すレイヤ２スイッチＳＷ１は、送信先ＭＡＣアドレスｃ及び送信元ＭＡＣアドレスａを有するＭＡＣフレームＦＲＢを、ポートｐＡにおいて受信する。
【００１１】
レイヤ２スイッチＳＷ１が有するＭＡＣテーブルＭＴ１には、受信したＭＡＣフレームＦＲＢの送信先ＭＡＣアドレスｃが登録されていない。このため、レイヤ２スイッチＳＷ１は、図２の（Ｂ）に示すように、ＭＡＣフレームＦＲＢを受信したポートｐＡ以外の他の全てのポートｐＢ及びｐＣからＭＡＣフレームＦＲＢを出力する。
以上のように、レイヤ２スイッチのＭＡＣ学習機能によってフレームのフォワーディングを行なうと、ネットワーク管理運用が容易になる一方で、レイヤ３のトポロジによってはＭＡＣ学習漏れによる不要なフラッディングが生じることがある。図３は、ＭＡＣ学習漏れによるフラッディングが生じうるネットワークの第１例を示す図である。
【００１２】
図３に示すネットワークは、企業の本社、データセンタ、ｘｘ支店及びｙｙ出張所を結ぶ広域ＬＡＮである。また、図３において、ＰＥ（Provider Edge）  Ｗ，ＰＥ  Ｘ，ＰＥ  Ｙ及びＰＥ  Ｚは、広域ＬＡＮにおいてＭＡＣフレームのスイッチングを行なうネットワーク構成要素である。さらに、図３において、ＰＥ  Ｗ，ＰＥ  Ｘ，ＰＥ  Ｙ及びＰＥ  Ｚは、ＭＰＬＳ−ＰＷ（Multi Protocol Label Switching-Pseudo Wire）により相互接続されている。
【００１３】
本社内ＬＡＮは、ネットワークアドレスＡ／２４を有しており、ＰＥ  Ｗに接続されたルータＲ−ａを介して広域ＬＡＮに接続されている。ルータＲ−ａのＭＡＣアドレスはａである。
データセンタ内ＬＡＮは、ネットワークアドレスＢ／２４を有しており、ＰＥ  Ｘに接続されたルータＲ−ｂを介して広域ＬＡＮに接続されている。ルータＲ−ｂのＭＡＣアドレスはｂである。
【００１４】
ｙｙ出張所内ＬＡＮは、ネットワークアドレスＣ／２４を有しており、ＰＥ  Ｙに接続されたルータＲ−ｃを介して広域ＬＡＮに接続されている。ルータＲ−ｃのＭＡＣアドレスはｃである。
ｘｘ支店内ＬＡＮは、ネットワークアドレスＤ／２４を有しており、ＰＥ  Ｚに接続されたルータＲ−ｄを介して広域ＬＡＮに接続されている。ルータＲ−ｄのＭＡＣアドレスはｄである。
【００１５】
本社内ＬＡＮに接続されたＰＥ  ＷのポートｐＡは、ルータＲ−ａに接続されており、ＰＥ  ＷのポートＷＸは、ＰＥ  Ｘに接続されている。また、ＰＥ  ＷのポートＷＹは、ＰＥ  Ｙに接続されている。
データセンタ内ＬＡＮに接続されたＰＥ  ＸのポートｐＡは、ルータＲ−ｂに接続されており、ＰＥ  ＸのポートＸＷはＰＥ  Ｗに接続されている。また、ＰＥ  ＸのポートＸＹはＰＥ  Ｙに接続されている。
【００１６】
ｙｙ出張所内ＬＡＮに接続されたＰＥ  ＹのポートｐＡは、ルータＲ−ｃに接続されており、ＰＥ  ＹのポートＹＸはＰＥ  Ｘに接続されている。また、ＰＥ  ＹのポートＹＷはＰＥ  Ｗに接続されており、ＰＥ  ＹのポートＹＺはＰＥ  Ｚに接続されている。
ｘｘ支店内ＬＡＮに接続されたＰＥ  ＺのポートｐＡは、ルータＲ−ｄに接続されており、ＰＥ  ＺのポートＺＹは、ＰＥ  Ｙに接続されている。
【００１７】
また、参照符号ＭＴＷ，ＭＴＸ，ＭＴＹは、ＰＥ  Ｗ，ＰＥ  Ｘ，ＰＥ  Ｙがフレームのフォワーディングにそれぞれ使用するＭＡＣテーブルである。ＭＡＣテーブルＭＴＷ，ＭＴＸ，ＭＴＹは、各ＭＡＣアドレスを送信先アドレスに有するＭＡＣフレームをどのポートから出力すべきかを示す。
ルーティングテーブルＲＴａ，ＲＴｂ，ＲＴｃは、各ルータＲ−ａ，Ｒ−ｂ，Ｒ−ｃがパケットのルーティングにそれぞれ使用するルーティングテーブルである。ルーティングテーブルＲＴａ，ＲＴｂ，ＲＴｃは、ＩＰフィールドとネクストホップ（Ｎ．Ｈ．）フィールドとを有する。
【００１８】
ルーティングテーブルＲＴａ，ＲＴｂ，ＲＴｃでは、ＩＰフィールドにネットワークアドレスが格納され、Ｎ．Ｈ．フィールドには、ＩＰフィールドに格納されたネットワークアドレスへ送信するパケットの、次の転送先ルータのＩＰアドレスが格納される。
例えばルーティングテーブルＲＴａは、ネットワークアドレスＢ／２４へ送信するパケットの次の転送先ルータがルータＲ−ｂであることを示し、ネットワークアドレスＣ／２４へ送信するパケットの次の転送先ルータがルータＲ−ｃであることを示している。さらに、ルーティングテーブルＲＴａは、ネットワークアドレスＤ／２４へ送信するパケットの次の転送先ルータがルータＲ−ｄであることを示している。
【００１９】
また、例えばルーティングテーブルＲＴｂは、ネットワークアドレスＡ／２４へ送信するパケットの次の転送先ルータがルータＲ−ａであることを示し、ネットワークアドレスＣ／２４へ送信するパケットの次の転送先ルータがルータＲ−ｃであることを示している。さらに、ルーティングテーブルＲＴｂは、ネットワークアドレスＤ／２４へ送信するパケットの次の転送先ルータがルータＲ−ｄであることを示している。
【００２０】
図３に示す広域ＬＡＮの例では、ｙｙ出張所のルータＲ−ｃには、本社へパケットを送信するデフォルトルートのみが与えられ、本社およびデータセンタのルータＲ−ａ及びＲ−ｂのルーティングテーブルが全ての経路を保持している。
そして本社のルータＲ−ａが、ｙｙ出張所及びｘｘ支店からのトラフィックを分配している。このようなネットワーク構成は、ルータの追加及び削除の度に行なうスタティックルートの再設定を省略できるという利点がある。
【００２１】
例えば、ｙｙ出張所内ＬＡＮの端末がデータセンタにアクセスする場合には、ｙｙ出張所からデータセンタへ送信されるパケットは、図３において一点鎖線で示すように、ｙｙ出張所から本社のルータＲ−ａへ送信されてから、本社のルータＲ−ａからデータセンタへと転送される。
また、データセンタからｙｙ出張所へ送信されるパケットは、図３において実線で示すように本社のルータＲ−ａを介さずにデータセンタからｙｙ出張所へ送信される。
【００２２】
このため、ｙｙ出張所とデータセンタとの間のトラフィックは、上りで経由するＩＰ経路と下りで経由するＩＰ経路とが異なる。すなわち、上りと下りとで非対称なＩＰ経路を経由することになる。
ｙｙ出張所からデータセンタへアクセスする際には、ｙｙ出張所のルータＲ−ｃにより実施されるアドレス解決プロトコル（ＡＲＰ:Address Resolution Protocol）によって、途中の経路上にあるＰＥ  Ｙ及びＰＥ  Ｗが本社内ＬＡＮのルータＲ−ａのＭＡＣアドレスａを学習することができる。
【００２３】
しかし、データセンタからｙｙ出張所へ送信されるＭＡＣヘッダの送信元ＭＡＣアドレスは、データセンタ内ＬＡＮのルータＲ−ｂのＭＡＣアドレスｂである。そのため、データセンタとｙｙ出張所とのトラフィックにおいてＭＡＣアドレスａを送信元アドレスとするフレームが送信されることはない。結果、ＭＡＣテーブルのエ−ジング処理によって、ＭＡＣアドレスａに関するアドレスエントリがＰＥ  ＹのＭＡＣテーブルＭＴＹから消去される。
【００２４】
例えば、ルータＲ−ｃは、本社のルータＲ−ａのＭＡＣアドレスをＡＲＰ解決すべく、ＰＥ  ＹへＡＲＰ要求（ARP Request）を送信する。すると、ＰＥ  Ｙから各ルータＲ−ａ，Ｒ−ｂ，Ｒ−ｄに対してＡＲＰ要求（ARP Request）がブロードキャストされる。このＡＲＰ要求のブロードキャスト（フラッディング）によって、各ルータＲ−ａ，Ｒ−ｂ，Ｒ−ｄが保持するＡＲＰテーブルは、ルータＲ−ｃのＩＰアドレスとルータＲ−ｃのＭＡＣアドレスとを対応付けたエントリを保持することができる。また、ＡＲＰ要求のブロードキャスト（フラッディング）によって、各ＰＥのＭＡＣテーブルは、ＭＡＣアドレスｃと、当該ＭＡＣアドレスｃを有するフレームを送信すべきポートとを対応付けたエントリを保持することができる。
【００２５】
そして、ＰＥ  Ｙから上記ＡＲＰ要求を受信したルータＲ−ａは、ルータＲ−ｃに対して、ＡＲＰ応答（ARP Reply）をユニキャストする。これにより、ルータＲ−ｃは、ルータＲ−ａのＭＡＣアドレスをＡＲＰ解決することができる。
しかしながら、ＰＥ  Ｙが有するＭＡＣテーブルがエージングされると、ＭＡＣアドレスａに関するアドレスエントリが消去されてしまう。
【００２６】
図４は、ＭＡＣテーブルのエ−ジング処理によって、ＰＥ  ＹのＭＡＣテーブルＭＴＹからＭＡＣアドレスａに関するアドレスエントリが消去された状態を示す。ＭＡＣアドレスａに関するアドレスエントリがＭＡＣテーブルＭＴＹにないために、ｙｙ出張所から本社を経由してデータセンタへパケットを転送するフレームは、ＰＥ  Ｙにおいてフラッディング処理の対象となる。
【００２７】
このように、上りと下りとで非対称なＩＰ経路を経由する、ｙｙ出張所とデータセンタとの間のトラフィックでは、データセンタからｙｙ出張所への送信フレームは、本社ルータＲ−ａのＭＡＣアドレスａを送信元アドレスとして有しない。このため、ｙｙ出張所とデータセンタとのトラフィックが通過するＰＥ  Ｙでは、ＭＡＣテーブルのエージングによって本社ルータＲ−ａのＭＡＣアドレスａのアドレスエントリが消去される場合がある。
【００２８】
例えば、ＭＡＣテーブルのエージングは通常５分程度で行なわれ、ルータのＡＲＰテーブルのエージングは数十分から数時間で行なわれる。すなわち、ＭＡＣテーブルのエージング期間は、一般にＡＲＰテーブルのエージング期間よりも短い。
このため、図４のＭＴ１に示すように、ＰＥ  ＹのＭＴ１から本社ルータＲ−ａのＭＡＣアドレスａが消去された後、ルータＲ−ｃのＡＲＰテーブルからＭＡＣアドレスａが消去されるまでの間、ｙｙ出張所からデータセンタへ送信されるフレームは、図４の破線に示すようにＰＥ  Ｙにおいてフラッディング処理の対象となる。
【００２９】
このような状況は、不要なフラッディングを発生させ続けてしまうだけでなく、回線容量が小さい箇所では、帯域圧迫によりほとんど通信が出来ないといった状況が発生してしまう。
図３及び図４のネットワーク構成以外にも、ＭＡＣ学習漏れによりフラッディングが生じうるネットワーク構成が存在する。図５は、ＭＡＣ学習漏れによるフラッディングが生じうるネットワークの第２例を示す図である。
【００３０】
端末１１０は、有線ネットワーク用及び無線ネットワーク用の２つのネットワークインタフェースを有しており、有線ネットワーク用インタフェースはＭＡＣアドレスａを有し無線ネットワーク用インタフェースはＭＡＣアドレスｂを有している。
そして、上りフレームは無線アクセスポイント（ＡＰ）１１１及びレイヤ２スイッチ（ＳＷ）１１２を経由してルータ（Ｒ）１１３へ転送され、下りフレームはレイヤ２スイッチ（ＳＷ）１１４を経由して端末１１０へ転送される。
【００３１】
このようなネットワーク構成では、レイヤ２スイッチ１１４において、図３及び図４に示すネットワークと同様に、端末１１０の有線ネットワーク用のＭＡＣアドレスａの学習漏れが発生するため、レイヤ２スイッチ１１４にてフラッディングが発生する。
図６は、ＭＡＣ学習漏れによるフラッディングが生じうるネットワークの第３例を示す図である。図６に示すネットワーク構成では、仮想ルータ冗長プロトコル（ＶＲＲＰ: Virtual Router Redundancy Protocol）等を用いて二重化されたマスタルータ（Master）１２０及びバックアップルータ（Back）１２１によって、ＬＡＮとＷＡＮとが接続されている。
【００３２】
バックボーンルータ（BB-R(Main)）１２４の障害などにより、ＷＡＮからＬＡＮへの下り経路に関してはバックアップルータ１２１を経由するように経路が切り替えられたにもかかわらず、ＬＡＮからＷＡＮへの上り経路については依然としてマスタルータ１２０を経由する経路が選択された状態が生じることがある。
このような状態が発生すると、マスタルータ１２０と端末（a）１２３との間を中継しないレイヤ２スイッチ１２２において、図３及び図４に示すネットワークと同様に端末１２３のＭＡＣアドレスａの学習漏れが発生する。そのため、レイヤ２スイッチ１２２にてフラッディングが発生する。
【００３３】
図７は、ＭＡＣ学習漏れによるフラッディングが生じうるネットワークの第４例を示す図である。図７に示すネットワーク構成では、レイヤ２ネットワークにおいて、そもそも端末（ａ）１３０がフレームを送信する送信先と、端末１３０へフレームを送信する送信元とが異なる。
本構成例は映像配信サービスを提供するネットワークの一例で、送信先は端末１３０からリクエストを受け付ける管理サーバであり、映像を配信する送信元は配信サーバである。この構成では、管理サーバと端末１３０の間を中継しないレイヤ２スイッチ１３１において、図３及び図４に示すネットワークと同様に、端末１３０のＭＡＣアドレスａの学習漏れが発生し、レイヤ２スイッチ１３１にてフラッディングが発生する。
【００３４】
なお、上記特許文献１には、フラッディングの発生が所定条件を満たすアドレスと同じアドレスのアドレスエントリを記憶している他のスイッチから所定の通知を受信し、上記条件を満たすアドレスと上記通知を受信したポートとを対応付けるアドレスエントリを登録する方法が提案されている。
しかしながら、上記特許文献１記載の技術では、所定の通知を行なうための制御フレームが必要であり、スイッチでの処理が複雑化する。また、上記所定条件を満たすと判定されるまでフラッディングが発生しつづける場合がある。
【００３５】
上記特許文献２記載の技術においても、ルータやＬＡＮ端末へ所定の通知を行なうための制御フレームが必要であり、ルータやＬＡＮ端末での処理が複雑化する。また、アドレス解決がなされるまでフラッディングが発生しつづける場合がある。
さらに、上記特許文献３記載の技術では、スイッチングハブの構成が複雑化する。また、学習漏れによるフラッディングを解消することができない。
【００３６】
そこで、本発明は、フラッディングの発生を低減させることを目的の１つとする。
【課題を解決するための手段】
【００３７】
（１）第１の案として、ネットワークにおいてフレームを伝送する複数の伝送装置をそなえた伝送システムであって、前記複数の伝送装置に接続されて前記フレームを送受信する複数の第１ポートと、前記複数の第１ポートのうち前記フレームを受信した第１ポートと、当該第１ポートで受信した前記フレームに含まれる送信元アドレスとの間の対応関係を示すアドレスエントリを管理する管理部と、前記複数の第１ポートのいずれかで受信したフレームに含まれる送信先アドレスに関する前記アドレスエントリが前記管理部で管理されている場合、前記アドレスエントリに基づいて、前記複数の第１ポートのいずれかで受信したフレームを前記複数の第１ポートのうち前記送信先アドレスと対応付けられた第１ポートに転送する転送制御部と、をそなえる宛先管理装置をそなえ、前記複数の伝送装置のうちの少なくとも１つの伝送装置が、前記ネットワーク内の他の伝送装置に接続されて前記フレームを送受信する複数の第２ポートと、前記宛先管理装置に接続される第３ポートと、前記複数の第２ポートのうち前記フレームを受信した第２ポートと、当該第２ポートで受信した前記フレームに含まれる送信元アドレスとの間の対応関係を示すアドレスエントリを記憶する記憶部と、前記複数の第２ポートのいずれかで受信したフレームに含まれる送信先アドレスに関する前記アドレスエントリが前記記憶部に記憶されていない場合、前記複数の第２ポートのいずれかで受信したフレームを前記第３ポートにのみ送信する送信制御部と、をそなえる、伝送システムを用いることができる。
【００３８】
（２）また、第２の案として、ネットワークにおいてフレームを伝送する複数の伝送装置をそなえた伝送システムにおける前記複数の伝送装置のうちの一の伝送装置であって、前記ネットワーク内の他の伝送装置に接続されて前記フレームを送受信する複数の第２ポートと、前記複数の伝送装置に接続されて前記フレームを送受信する複数の第１ポートと、前記複数の第１ポートのうち前記フレームを受信した第１ポートと、当該第１ポートで受信した前記フレームに含まれる送信元アドレスとの間の対応関係を示すアドレスエントリを管理する管理部と、前記複数の第１ポートのいずれかで受信したフレームに含まれる送信先アドレスに関する前記アドレスエントリが前記管理部で管理されている場合、前記アドレスエントリに基づいて、前記複数の第１ポートのいずれかで受信したフレームを前記複数の第１ポートのうち前記送信先アドレスと対応付けられた第１ポートに転送する転送制御部と、をそなえる宛先管理装置に接続される第３ポートと、前記複数の第２ポートのうち前記フレームを受信した第２ポートと、当該第２ポートで受信した前記フレームに含まれる送信元アドレスとの間の対応関係を示すアドレスエントリを記憶する記憶部と、前記複数の第２ポートのいずれかで受信したフレームに含まれる送信先アドレスに関する前記アドレスエントリが前記記憶部に記憶されていない場合、前記複数の第２ポートのいずれかで受信したフレームを前記第３ポートにのみ送信する送信制御部と、をそなえる、伝送装置を用いることができる。
【００３９】
（３）さらに、第３の案として、ネットワークにおいてフレームを伝送する複数の伝送装置をそなえた伝送システムに用いられる宛先管理装置であって、前記複数の伝送装置に接続されて前記フレームを送受信する複数の第１ポートと、前記複数の第１ポートのうち前記フレームを受信した第１ポートと、当該第１ポートで受信した前記フレームに含まれる送信元アドレスとの間の対応関係を示すアドレスエントリを管理する管理部と、前記複数の第１ポートのいずれかで受信したフレームに含まれる送信先アドレスに関する前記アドレスエントリが前記管理部で管理されている場合、前記アドレスエントリに基づいて、前記複数の第１ポートのいずれかで受信したフレームを前記複数の第１ポートのうち前記送信先アドレスと対応付けられた第１ポートに転送する転送制御部と、をそなえ、前記転送制御部が、前記複数の第１ポートのいずれかで受信したフレームが有するとともに、前記伝送装置において当該フレームが学習済みであるか否かを示す所定の識別情報に基づいて、当該フレームの転送先を決定する、宛先管理装置を用いることができる。
【００４０】
（４）また、第４の案として、ネットワークにおいてフレームを伝送する複数の伝送装置をそなえた伝送システムにおける前記複数の伝送装置のうちの一の伝送装置に用いられる制御ユニットであって、前記一の伝送装置が、前記ネットワーク内の他の伝送装置に接続されて前記フレームを送受信する複数の第２ポートと、前記複数の伝送装置に接続されて前記フレームを送受信する複数の第１ポートと、前記複数の第１ポートのうち前記フレームを受信した第１ポートと、当該第１ポートで受信した前記フレームに含まれる送信元アドレスとの間の対応関係を示すアドレスエントリを管理する管理部と、前記複数の第１ポートのいずれかで受信したフレームに含まれる送信先アドレスに関する前記アドレスエントリが前記管理部で管理されている場合、前記アドレスエントリに基づいて、前記複数の第１ポートのいずれかで受信したフレームを前記複数の第１ポートのうち前記送信先アドレスと対応付けられた第１ポートに転送する転送制御部と、をそなえる宛先管理装置に接続される第３ポートと、前記複数の第２ポートのうち前記フレームを受信した第２ポートと、当該第２ポートで受信した前記フレームに含まれる送信元アドレスとの間の対応関係を示すアドレスエントリを記憶する記憶部と、をそなえ、前記制御ユニットが、前記複数の第２ポートのいずれかで受信したフレームに含まれる送信先アドレスに関する前記アドレスエントリが前記記憶部に記憶されているかどうかを判定する手段と、前記複数の第２ポートのいずれかで受信したフレームに含まれる送信先アドレスに関する前記アドレスエントリが前記記憶部に記憶されていないと判定した場合、前記複数の第２ポートのいずれかで受信したフレームを前記第３ポートにのみ送信する制御を行なう手段と、をそなえる、制御ユニットを用いることができる。
【００４１】
（５）さらに、第５の案として、ネットワークにおいてフレームを伝送する複数の伝送装置をそなえた伝送システムにおける前記複数の伝送装置のうちの一の伝送装置であって、前記ネットワーク内の他の伝送装置に接続されて前記フレームを送受信する複数の第２ポートと、前記複数の伝送装置に接続されて前記フレームを送受信する複数の第１ポート，前記複数の第１ポートのうち前記フレームを受信した第１ポートと当該第１ポートで受信した前記フレームに含まれる送信元アドレスとの間の対応関係を示すアドレスエントリを管理する管理部，及び，前記複数の第１ポートのいずれかで受信したフレームに含まれる送信先アドレスに関する前記アドレスエントリが前記管理部で管理されている場合、前記アドレスエントリに基づいて、前記複数の第１ポートのいずれかで受信したフレームを前記複数の第１ポートのうち前記送信先アドレスと対応付けられた第１ポートに転送する転送制御部をそなえる宛先管理装置に接続される第３ポートと、前記複数の第２ポートのうち前記フレームを受信した第２ポートと、当該第２ポートで受信した前記フレームに含まれる送信元アドレスとの間の対応関係を示すアドレスエントリを記憶する記憶部とをそなえる前記一の伝送装置において、前記フレームを伝送する機能をコンピュータに実現させるための伝送制御プログラムであって、前記複数の第２ポートのいずれかで受信したフレームに含まれる送信先アドレスに関する前記アドレスエントリが前記記憶部に記憶されているかどうかを判定する判定機能と、前記判定機能による判定の結果、前記複数の第２ポートのいずれかで受信したフレームに含まれる送信先アドレスに関する前記アドレスエントリが前記記憶部に記憶されていないと判定された場合、前記複数の第２ポートのいずれかで受信したフレームを前記第３ポートにのみ送信する制御を行なう伝送制御機能と、を前記コンピュータに実現させる、伝送制御プログラムを用いることができる。
【００４２】
（６）また、第６の案として、ネットワークにおいてフレームを伝送する複数の伝送装置をそなえた伝送システムにおける前記複数の伝送装置のうちの一の伝送装置であって、前記ネットワーク内の他の伝送装置に接続されて前記フレームを送受信する複数の第２ポートと、前記複数の伝送装置に接続されて前記フレームを送受信する複数の第１ポート，前記複数の第１ポートのうち前記フレームを受信した第１ポートと当該第１ポートで受信した前記フレームに含まれる送信元アドレスとの間の対応関係を示すアドレスエントリを管理する管理部，及び，前記複数の第１ポートのいずれかで受信したフレームに含まれる送信先アドレスに関する前記アドレスエントリが前記管理部で管理されている場合、前記アドレスエントリに基づいて、前記複数の第１ポートのいずれかで受信したフレームを前記複数の第１ポートのうち前記送信先アドレスと対応付けられた第１ポートに転送する転送制御部をそなえる宛先管理装置に接続される第３ポートと、前記複数の第２ポートのうち前記フレームを受信した第２ポートと、当該第２ポートで受信した前記フレームに含まれる送信元アドレスとの間の対応関係を示すアドレスエントリを記憶する記憶部とをそなえる前記一の伝送装置において、前記フレームを伝送する機能をコンピュータに実現させるための伝送制御プログラムを記録したコンピュータ読み取り可能な記録媒体であって、前記複数の第２ポートのいずれかで受信したフレームに含まれる送信先アドレスに関する前記アドレスエントリが前記記憶部に記憶されているかどうかを判定する判定機能と、前記判定機能による判定の結果、前記複数の第２ポートのいずれかで受信したフレームに含まれる送信先アドレスに関する前記アドレスエントリが前記記憶部に記憶されていないと判定された場合、前記複数の第２ポートのいずれかで受信したフレームを前記第３ポートにのみ送信する制御を行なう伝送制御機能と、を前記コンピュータに実現させる、伝送制御プログラムを記録したコンピュータ読み取り可能な記録媒体を用いることができる。
【発明の効果】
【００４３】
フラッディングの発生を低減させることが可能となる。
【図面の簡単な説明】
【００４４】
【図１】（Ａ）及び（Ｂ）はＭＡＣ学習法の説明図である。
【図２】（Ａ）及び（Ｂ）は、フラッディング処理の説明図である。
【図３】ＭＡＣ学習漏れによるフラッディングが生じうるネットワークの第１例を示す図である。
【図４】図３のネットワークにおいてフラッディングが生じた状態を示す図である。
【図５】ＭＡＣ学習漏れによるフラッディングが生じうるネットワークの第２例を示す図である。
【図６】ＭＡＣ学習漏れによるフラッディングが生じうるネットワークの第３例を示す図である。
【図７】ＭＡＣ学習漏れによるフラッディングが生じうるネットワークの第４例を示す図である。
【図８】本発明の一実施形態に係る伝送装置の構成例を示す図である。
【図９】図８に示す伝送装置の構成例を説明する図である。
【図１０】図９に示す伝送装置の動作例を示すフローチャートである。
【図１１】本発明の一実施形態に係る宛先管理装置の構成例を示す図である。
【図１２】図１１に示す宛先管理装置の構成例を説明する図である。
【図１３】図１２に示す宛先管理装置の動作例を示すフローチャートである。
【図１４】本発明の一実施形態に係る伝送システムの構成例を示す図である。
【図１５】図１４の伝送システムにおいてＭＡＣ未学習のフレームの伝送例を示す図である。
【図１６】図１４に示す伝送システムの動作例を示すフローチャートである。
【図１７】本発明の第１変形例に係る伝送システムの構成例を示す図である。
【図１８】図１７に示す宛先管理装置の動作例を示すフローチャートである。
【図１９】図１７に示す伝送システムの動作例を示すフローチャートである。
【図２０】図１７に示す伝送システムの動作例を示すフローチャートである。
【図２１】本発明の第２変形例に係る伝送システムの構成例を示す図である。
【図２２】図２１に示す宛先管理装置の動作例を示すフローチャートである。
【図２３】図２１に示す伝送システムの動作例を示すフローチャートである。
【図２４】本発明の第３変形例に係る伝送装置の動作例を示すフローチャートである。
【図２５】本発明の第３変形例に係る伝送装置の動作例を示す図である。
【図２６】本発明の第４変形例に係る伝送システムの構成例を示す図である。
【図２７】本発明の第４変形例に係る伝送システムの構成例を示す図である。
【図２８】本発明の第４変形例に係る宛先管理装置の動作例を示すフローチャートである。
【図２９】本発明の第４変形例に係る伝送装置の動作例を示すフローチャートである。
【図３０】本発明の第５変形例に係る伝送システムの構成例を示す図である。
【図３１】本発明の第５変形例に係る伝送システムの構成例を示す図である。
【図３２】フレームに識別情報を付与する方法の一例を示す図である。
【発明を実施するための形態】
【００４５】
以下、図面を参照して本発明の実施形態を説明する。ただし、以下に示す実施形態は、あくまでも例示に過ぎず、実施形態で明示しない種々の変形や技術の適用を排除する意図はない。即ち、以下に示す実施形態を、その趣旨を逸脱しない範囲で種々変形（各実施形態及び各変形例を組み合わせる等）して実施してもよい。
〔１〕一実施形態
（１．１）伝送装置の構成例
図８は本発明の一実施形態に係る伝送装置の構成の一例を示す図である。
【００４６】
この図８に示す伝送装置１０は、ネットワークにおいてフレームを伝送する機能を有する。このため、伝送装置１０は、例えば、複数の第２ポートｐ２−１〜ｐ２−ｎ（ｎは２以上の整数）と、第３ポートｐ３と、記憶部１１と、送信制御部１２とをそなえる。なお、以下では、複数の第２ポートｐ２−１〜ｐ２−ｎを区別しない場合、単に、第２ポートｐ２と表記することがある。また、以下では、フレームの一例であるＭＡＣフレームを用いて実施形態の説明を行なうことがあるが、ＭＡＣフレーム以外の他のフレームを排除する意図はない。
【００４７】
複数の第２ポートｐ２−１〜ｐ２−ｎは、ネットワークにおける他の伝送装置１０に接続されてフレームを送受信する。例えば、第２ポートｐ２−１により受信されたフレームは、第２ポートｐ２−２〜ｐ２−ｎのいずれかによって他の伝送装置１０へ送信されうる。
第３ポートｐ３は、後述する宛先管理装置２０に接続される。そして、第３ポートｐ３は、複数の第２ポートｐ２−１〜ｐ２−ｎのいずれかで受信したフレームを宛先管理装置２０へ送信しうる一方、宛先管理装置２０が送信したフレームを受信しうる。なお、以下では、第３ポートｐ３のことをデフォルトポートとも称することがある。
【００４８】
記憶部１１は、上記複数の第２ポートｐ２−１〜ｐ２−ｎのうちフレームを受信した第２ポートｐ２−ｘ（ｘは１〜ｎのいずれか）と、当該第２ポートｐ２−ｘで受信したフレームに含まれる送信元アドレスとの間の対応関係を示すアドレスエントリを記憶する。
例えばＭＡＣフレームは、フレームの送信元の装置のＭＡＣアドレスを送信元アドレス（ＳＡ：Source Address）として有するとともに、フレームの送信先の装置のＭＡＣアドレスを送信先アドレス（ＤＡ：Destination Address）として有する。ここで、第２ポートｐ２−ｘで受信したフレームの送信元アドレスがＭＡＣアドレスａである場合、記憶部１１は、第２ポートｐ２−ｘのポート番号（ポート識別子）ｘとＭＡＣアドレスａとの対応関係を示すアドレスエントリを記憶（学習）する。
【００４９】
このため、記憶部１１は、図９に例示するように、ＭＡＣテーブル１１１をそなえていてもよい。これにより、伝送装置１０は、ＭＡＣテーブル１１１に記憶されるＭＡＣアドレスと出力先ポートとの組み合わせに従って、転送するＭＡＣフレームを出力するポートを決定することができる。
ここで、ＭＡＣテーブル１１１は、フレームをどのポートに送信すべきかを示すテーブルである。そのため、ＭＡＣテーブル１１１は、送信先ＭＡＣアドレスを格納するＭＡＣフィールドと、ＭＡＣフレームの送信に使用するポートのポート識別子を格納するＰＯＲＴフィールドとを少なくともそなえる。
【００５０】
なお、ＭＡＣテーブル１１１に記憶される、送信先ＭＡＣアドレスと出力先ポートの対を有するデータの組み合わせ、すなわちＭＡＣテーブルの各レコードに記憶されるデータの組み合わせをＭＡＣエントリという。ＭＡＣエントリは、アドレスエントリとも称される。
また、図９に例示するように、記憶部１１は、ラベルテーブル１１２をそなえていてもよい。これにより、伝送装置１０は、ラベルテーブル１１２に記憶される、送信フレームの送信先アドレス及び送信元アドレスとラベルとの組み合わせに従って、送信フレームに付与するラベルを決定することができる。
【００５１】
ここで、ラベルテーブル１１２は、各送信先ＭＡＣアドレス及び送信元ＭＡＣアドレスを有するフレームの宛先である伝送装置にどのラベルを付与すべきかを示すテーブルである。このため、ラベルテーブル１１２は、宛先伝送装置を識別するフィールドと、ＭＡＣフレームに付与すべきラベルを格納するラベルフィールドとを少なくともそなえる。
送信制御部１２は、複数の第２ポートｐ２のいずれかで受信したフレームに含まれる送信先アドレスに関するアドレスエントリが記憶部１１に記憶されていない場合、即ち、受信フレームが未学習の場合、当該フレームを第３ポートｐ３にのみ送信する。
【００５２】
この場合、伝送装置１０では、未学習のフレームを受信した場合であっても、受信フレームのフラッディング処理は行なわれずに、第３ポートｐ３に接続される宛先管理装置２０のみに送信される。そして、宛先管理装置２０によって、フレームは適切な宛先へ転送される。
一方、複数の第２ポートｐ２のいずれかで受信したフレームに含まれる送信先アドレスに関するアドレスエントリが記憶部１１に記憶されている場合、即ち、受信フレームが学習済みである場合、送信制御部１２は、前記アドレスエントリに基づいてフレームを送信する。
【００５３】
具体的には例えば、上記複数の第２ポートｐ２のいずれかで受信されたフレームが、送信制御部１２によって、当該フレームに含まれる送信先アドレスと対応付けられた第２ポートｐ２のいずれかのポートと、上記第３ポートｐ３との両方に送信される。
これにより、第３ポートｐ３に接続される宛先管理装置２０は、伝送装置１０から受信するフレームの宛先を管理（学習）することができる。したがって、伝送装置１０が未学習のフレームを受信した場合は、宛先管理装置２０が伝送装置１０に代わって当該フレームを適切な宛先へ転送することができる。
【００５４】
ここで、送信制御部１２の具体的な構成例について、図９を用いて説明する。
この図９に示すように、送信制御部１２は、例示的に、送信元アドレス学習部１２１と、送信先アドレス検索部１２２と、出力ポート決定部１２３と、フレームタイプ付与部１２４と、ラベル付与部１２５と、フレーム処理部１２６とをそなえる。
フレーム処理部１２６は、第２ポートｐ２のいずれかで受信したフレームに対して各種のフレーム処理を施す。このため、フレーム処理部１２６は、例えば、受信フレームを一時的に格納するバッファ１２７を有する。フレーム処理部１２６により各種のフレーム処理を施されたフレームは、出力ポート決定部１２３により決定された宛先へ出力される。
【００５５】
送信元アドレス学習部１２１は、複数の第２ポートｐ２のうちいずれかのポートｐ２−ｘで受信したフレームが有する送信元アドレスと、当該フレームを受信したポートｐ２−ｘとを対応付けて学習する。当該学習結果は、例えば、アドレスエントリとしてＭＡＣテーブル１１１に格納される。
送信先アドレス検索部１２２は、第２ポートｐ２のいずれかで受信したフレームが有する送信先アドレスを、ＭＡＣテーブル１１１に記憶（格納）されているアドレスエントリから検索する。
【００５６】
出力ポート決定部１２３は、送信先アドレス検索部１２２での検索結果に基づいて、第２ポートｐ２のいずれかで受信したフレームを出力するポートを決定する。
具体的には例えば、第２ポートｐ２のいずれかで受信したフレームが有する送信先アドレスに関するアドレスエントリがＭＡＣテーブル１１１に格納されていない場合、出力ポート決定部１２３は、第３ポートｐ３のみにフレームを出力することを決定する。
【００５７】
一方、第２ポートｐ２のいずれかで受信したフレームが有する送信先アドレスに関するアドレスエントリがＭＡＣテーブル１１１に格納されている場合、出力ポート決定部１２３は、当該アドレスエントリに基づいて、フレームの送信先アドレスに対応する第２ポートｐ２と第３ポートｐ３とにフレームを出力することを決定する。なお、第３ポートｐ３へ送信されたフレームは、宛先管理装置２０のための学習用フレームとして機能する。
【００５８】
フレームタイプ付与部１２４は、複数の第２ポートｐ２のいずれかで受信したフレームが未学習である場合、当該フレームが未学習であることを示す第１の識別情報（以下、ＵＫＵ：UnKnown Unicastと称する）を当該フレームに付与する。
具体的には例えば、複数の第２ポートｐ２のいずれかで受信したフレームに含まれる送信先アドレスに関するアドレスエントリが記憶部１１に記憶されていない場合、フレームタイプ付与部１２４は、当該フレームが未学習であることを示すＵＫＵを付与する。
【００５９】
一方、フレームタイプ付与部１２４は、複数の第２ポートｐ２のいずれかで受信したフレームが学習済みである場合、当該フレームが学習済みであることを示す第２の識別情報（以下、ＫＵ：Known Unicastと称する）を当該フレームに付与する。
具体的には例えば、複数の第２ポートｐ２のいずれかで受信したフレームに含まれる送信先アドレスに関するアドレスエントリが記憶部１１に記憶されている場合、フレームタイプ付与部１２４は、当該フレームが学習済みであることを示すＫＵを付与する。
【００６０】
これにより、伝送装置１０は、フレームに付与された上記第１または第２の識別情報（ＵＫＵまたはＫＵ）に応じて、宛先管理装置２０に異なるフレーム処理を行なわせることができる。
具体的には例えば、宛先管理装置２０がＵＫＵを有するフレームを受信した場合、当該フレームが有する送信先アドレスに基づいて、適切な宛先へ転送させることができる。
【００６１】
一方、宛先管理装置２０がＫＵを有するフレームを受信した場合、当該フレームの送信元を少なくとも学習するが、当該フレームを転送させないこともできる。なお、宛先管理装置２０によって転送されないフレームは、廃棄されてもよい。
ラベル付与部１２５は、ラベルテーブル１１２の内容に基づいて、フレームにラベルを付与する。
【００６２】
上記出力ポート決定部１２３，フレームタイプ付与部１２４及びラベル付与部１２５により各種のフレーム処理を施されたフレームは、上述のように、フレーム処理部１２６によって、出力ポート決定部１２３が決定した宛先へ送出される。
次に、伝送装置１０の動作例について図１０を用いて説明する。
まず、複数の第２ポートｐ２のいずれかでフレームを受信すると（ステップＳ１０１）、送信元アドレス学習部１２１が、当該フレームの送信元アドレスと、当該フレームの受信ポートとを対応付けて学習する（ステップＳ１０２）。当該学習結果は、ＭＡＣテーブル１１１に格納される。
【００６３】
次に、送信先アドレス検索部１２２が、前記受信したフレームに含まれる送信先アドレスをＭＡＣテーブル１１１が保持するアドレスエントリから検索し（ステップＳ１０３）、前記送信先アドレスが学習済みかどうかを判定する（ステップＳ１０４）。
ここで、前記受信したフレームに含まれる送信先アドレスがＭＡＣテーブル１１１にないと判定された場合は（ステップＳ１０４のＮｏルート）、出力ポート決定部１２３が、当該フレームを第３ポートｐ３のみに出力することを決定する（ステップＳ１０５）。
【００６４】
そして、フレームタイプ付与部１２４が、当該フレームにフレームタイプ「ＵＫＵ」を付与するとともに（ステップＳ１０６）、ラベル付与部１２５が、ラベルテーブル１１２の内容に基づいてラベルを付与する（ステップＳ１０９）。
ステップＳ１０５，Ｓ１０６及びＳ１０９においてフレーム処理を施されたフレームは、出力ポート決定部１２３が決定した宛先からネットワークへ送信される（ステップＳ１１０）。
【００６５】
一方、前記受信したフレームに含まれる送信先アドレスがＭＡＣテーブル１１１にあると判定された場合は（ステップＳ１０４のＹｅｓルート）、出力ポート決定部１２３が、当該フレームの送信先アドレスに対応する第２ポートｐ２と第３ポートｐ３とにフレームを出力することを決定する（ステップＳ１０７）。
そして、フレームタイプ付与部１２４が、当該フレームにフレームタイプ「ＫＵ」を付与するとともに（ステップＳ１０８）、ラベル付与部１２５が、ラベルテーブル１１２の内容に基づいてラベルを付与する（ステップＳ１０９）。
【００６６】
ステップＳ１０７〜Ｓ１０９においてフレーム処理を施されたフレームは、出力ポート決定部１２３が決定した宛先からネットワークへ送信される（ステップＳ１１０）。
以上のように、本例では、受信フレームが未学習の場合であっても、フラッディング処理が行なわれないので、ネットワークトラフィックの増加を抑制することが可能となる。
なお、上記の送信制御部１２が有する各機能は、伝送装置１０に用いられる制御ユニットにより実現してもよい。
【００６７】
即ち、上記制御ユニットは、伝送装置１０の複数の第２ポートｐ２のいずれかで受信したフレームに含まれる送信先アドレスに関するアドレスエントリが記憶部１１に記憶されているかどうかを判定する手段あるいは機能を有する。さらに、上記制御ユニットは、複数の第２ポートｐ２のいずれかで受信したフレームに含まれる送信先アドレスに関するアドレスエントリが記憶部１１に記憶されていないと判定した場合、当該フレームを第３ポートｐ３にのみ送信する制御を行なう手段あるいは機能を有する。
【００６８】
また、上述した制御ユニットとしての機能は、コンピュータ（ＣＰＵ，情報処理装置，各種端末などを含む）が所定のアプリケーションプログラムを実行することによって実現されてもよい。
即ち、上記プログラムは、伝送装置１０のフレーム伝送機能をコンピュータに実現させるための伝送制御プログラムであって、複数の第２ポートｐ２のいずれかで受信したフレームに含まれる送信先アドレスに関するアドレスエントリが記憶部１１に記憶されているかどうかを判定する判定機能と、前記判定機能による判定の結果、複数の第２ポートｐ２のいずれかで受信したフレームに含まれる送信先アドレスに関するアドレスエントリが記憶部１１に記憶されていないと判定された場合、複数の第２ポートｐ２のいずれかで受信したフレームを第３ポートｐ３にのみ送信する制御を行なう伝送制御機能と、を前記コンピュータに実現させる、伝送制御プログラムの一例である。
【００６９】
また、上記プログラムは、例えば、フレキシブルディスク，ＣＤ（ＣＤ−ＲＯＭ，ＣＤ−Ｒ，ＣＤ−ＲＷなど），ＤＶＤ（ＤＶＤ−ＲＯＭ，ＤＶＤ−ＲＡＭ，ＤＶＤ−Ｒ，ＤＶＤ−ＲＷ，ＤＶＤ＋Ｒ，ＤＶＤ＋ＲＷなど）等の一時的でない（non-transitory）コンピュータ読取可能な記録媒体に記録された形態で提供されうる。この場合、コンピュータはその記録媒体から伝送制御プログラムを読み取って内部記憶装置または外部記憶装置に転送し格納して用いることができる。また、そのプログラムを、例えば、磁気ディスク，光ディスク，光磁気ディスク等の記憶装置（記録媒体）に記録しておき、その記憶装置から通信回線を介してコンピュータに提供するようにしてもよい。
【００７０】
ここで、コンピュータとは、ハードウェアとＯＳ（オペレーティングシステム）とを含む概念であり、ＯＳの制御の下で動作するハードウェアを意味している。また、ＯＳが不要でアプリケーションプログラム単独でハードウェアを動作させるような場合には、そのハードウェア自体がコンピュータに相当する。ハードウェアは、少なくとも、ＣＰＵ等のマイクロプロセッサと、記録媒体に記録されたコンピュータプログラムを読み取るための手段とをそなえている。
【００７１】
上記伝送制御プログラムとしてのアプリケーションプログラムは、上述のようなコンピュータに、送信制御部１２としての機能を実現させるプログラムコードを含んでいる。また、その機能の一部は、アプリケーションプログラムではなくＯＳによって実現されてもよい。
なお、上記記録媒体としては、上述したフレキシブルディスク，ＣＤ，ＤＶＤ，磁気ディスク，光ディスク，光磁気ディスクのほか、ＩＣカード，ＲＯＭカートリッジ，磁気テープ，パンチカード，コンピュータの内部記憶装置（ＲＡＭやＲＯＭなどのメモリ），外部記憶装置等や、バーコードなどの符号が印刷された印刷物等の、一時的でない（non-transitory）コンピュータ読み取り可能な種々の媒体を利用することもできる。
【００７２】
（１．２）宛先管理装置の構成例
図１１は本発明の一実施形態に係る宛先管理装置の構成の一例を示す図である。
この図１１に示す宛先管理装置２０は、上記伝送装置１０に接続されてフレームを送受信する機能を有する。このため、宛先管理装置２０は、例えば、複数の第１ポートｐ１−１〜ｐ１−ｍ（ｍは２以上の整数）と、管理部２１と、転送制御部２２とをそなえる。なお、以下では、複数の第１ポートｐ１−１〜ｐ１−ｍを区別しない場合、単に、第１ポートｐ１と表記することがある。
【００７３】
複数の第１ポートｐ１−１〜ｐ１−ｍは、それぞれ伝送装置１０に接続され、各伝送装置１０との間でフレームを送受信する。例えば、第１ポートｐ１−１により受信されたフレームは、第１ポートｐ１−１〜ｐ１−ｍのいずれかによって適切な宛先へ送信されうる。
管理部２１は、上記複数の第１ポートｐ１−１〜ｐ１−ｍのうちフレームを受信した第１ポートｐ１−ｙ（ｙは１〜ｍのいずれか）と、当該第１ポートｐ１−ｙで受信したフレームに含まれる送信元アドレスとの間の対応関係を示すアドレスエントリを管理する。
【００７４】
例えば、第１ポートｐ１−ｙで受信したフレームの送信元アドレスがＭＡＣアドレスｂである場合、管理部２１は、第１ポートｐ１−ｙのポート識別子ｙとＭＡＣアドレスｂとの対応関係を示すアドレスエントリを記憶（学習）する。
このため、管理部２１は、図１２に例示するように、ＭＡＣテーブル２１１をそなえていてもよい。これにより、宛先管理装置２０は、ＭＡＣテーブル２１１に記憶されるＭＡＣアドレスと出力先ポートの組み合わせに従って、転送するＭＡＣフレームを出力するポートを決定することができる。
【００７５】
また、図１２に例示するように、管理部２１は、ラベルテーブル２１２をそなえていてもよい。これにより、宛先管理装置２０は、ラベルテーブル２１２に記憶される、送信先アドレス及び送信元アドレスとラベルとの組み合わせに従って、転送フレームに付与するラベルを決定することができる。なお、送信先アドレス及び送信元アドレスは、送信先の伝送装置及び送信元の伝送装置をそれぞれ示す他の識別子であってもよい。
【００７６】
転送制御部２２は、複数の第１ポートｐ１のいずれかで受信したフレームに付与されたフレームタイプを識別するとともに、当該フレームが有する送信先アドレスに関するアドレスエントリが管理部２１にあるかどうかを検索する。
ここで、複数の第１ポートｐ１のいずれかで受信したフレームに付与されたフレームタイプがＵＫＵであり、且つ、当該フレームに含まれる送信先アドレスに関するアドレスエントリが管理部２１にある場合、転送制御部２２は、管理部２１に記憶されているアドレスエントリに基づいてフレームを転送する。
【００７７】
具体的には例えば、複数の第１ポートｐ１のいずれかで受信されたフレームが、管理部２１に記憶されている前記アドレスエントリによって当該フレームに含まれる送信先アドレスと対応付けられた第１ポートｐ１のいずれかに送信される。
また、複数の第１ポートｐ１のいずれかで受信したフレームに付与されたフレームタイプがＫＵであり、且つ、当該フレームに含まれる送信先アドレスに関するアドレスエントリが管理部２１にない場合、転送制御部２２は、当該フレームが学習用のフレームであると判断し、当該フレームの送信元アドレスと当該フレームを受信した第１ポートｐ１とを対応付けて学習し、学習結果を管理部２１に格納する。なお、フレームの学習後、当該フレームは転送されなくてもよく、例えば廃棄されてもよい。
【００７８】
さらに、複数の第１ポートｐ１のいずれかで受信したフレームに付与されたフレームタイプがＫＵであり、且つ、当該フレームに含まれる送信先アドレスに関するアドレスエントリが管理部２１にある場合、転送制御部２２は、当該フレームを転送しなくてもよく、例えば廃棄してもよい。
また、複数の第１ポートｐ１のいずれかで受信したフレームに付与されたフレームタイプがＵＫＵであり、且つ、当該フレームに含まれる送信先アドレスに関するアドレスエントリが管理部２１にない場合、転送制御部２２は、当該フレームをフラッディング処理してもよい。具体的には例えば、当該フレームが、受信ポート以外のすべての第１ポートｐ１へ送信されてもよい。
【００７９】
即ち、本例の転送制御部２２は、複数の第１ポートｐ１のいずれかで受信したフレームに、ＵＫＵが付与されており、且つ、当該フレームに含まれる送信先アドレスに関するアドレスエントリが管理部２１で管理されていない場合、当該フレームをフラッディング処理する機能を有する。
ここで、転送制御部２２の具体的な構成例について、図１２を用いて説明する。
【００８０】
この図１２に示すように、転送制御部１２は、例示的に、送信元アドレス学習部２２１と、送信先アドレス検索部２２２と、出力ポート決定部２２３と、フレームタイプ識別部２２４と、ラベル検索／付与部２２５と、フレーム処理部２２６とをそなえる。
フレーム処理部２２６は、第１ポートｐ１のいずれかで受信したフレームに対して各種のフレーム処理を施す。このため、フレーム処理部２２６は、例えば、受信フレームを一時的に格納するバッファ２２７を有する。フレーム処理部２２６により各種のフレーム処理を施されたフレームは、出力ポート決定部２２３により決定された宛先へ出力される。
【００８１】
送信元アドレス学習部２２１は、複数の第１ポートｐ１のうちいずれかのポートｐ１−ｙで受信したフレームが有する送信元アドレスと、当該フレームを受信したポートｐ１−ｙとを対応付けて学習する。当該学習結果は、例えば、アドレスエントリとしてＭＡＣテーブル２１１に格納される。
送信先アドレス検索部２２２は、第１ポートｐ１のいずれかで受信したフレームが有する送信先アドレスを、ＭＡＣテーブル２１１に記憶（格納）されているアドレスエントリから検索する。
【００８２】
フレームタイプ識別部２２４は、第１ポートｐ１のいずれかで受信したフレームに付与されたフレームタイプを識別する。具体的には例えば、第１ポートｐ１のいずれかで受信したフレームに付与されたフレームタイプがＵＫＵであるか、ＫＵであるかが識別される。
出力ポート決定部２２３は、送信先アドレス検索部２２２での検索結果及びフレームタイプ識別部２２４での識別結果に基づいて、第１ポートｐ１のいずれかで受信したフレームを出力するポートを決定する。
【００８３】
例えば、受信フレームのフレームタイプがＵＫＵであると識別され、且つ、当該フレームに含まれる送信先アドレスが管理部２１から検索された場合、出力ポート決定部２２３は、管理部２１に記憶されている前記アドレスエントリによって当該フレームに含まれる送信先アドレスと対応付けられた第１ポートｐ１へフレームを送信することを決定する。
また、受信フレームのフレームタイプがＫＵであると識別され、且つ、当該フレームに含まれる送信先アドレスが管理部２１から検索されない場合、出力ポート決定部２２３は、送信元アドレス学習部２２１によるアドレス学習の後、当該フレームを転送せずに、例えば廃棄することを決定する。
【００８４】
さらに、受信フレームのフレームタイプがＫＵであると識別され、且つ、当該フレームに含まれる送信先アドレスが管理部２１から検索された場合、出力ポート決定部２２３は、当該フレームを転送せずに、例えば廃棄することを決定する。
また、受信フレームのフレームタイプがＵＫＵであると識別され、且つ、当該フレームに含まれる送信先アドレスが管理部２１から検索されない場合、出力ポート決定部２２３は、当該フレームを受信ポート以外のすべての第１ポートｐ１へ送信することを決定する。
【００８５】
ラベル検索／付与部２２５は、受信フレームが有する送信元アドレス（送信元の伝送装置を示す識別子）及び送信先アドレス（送信先の伝送装置を示す識別子）に基づいて、ラベルテーブル２１２からフレームに付与するラベルを検索し、検索により得たラベルをフレームに付与する。
上記出力ポート決定部２２３及びラベル付与部２２５により各種のフレーム処理を施されたフレームは、上述のように、フレーム処理部２２６によって、出力ポート決定部２２３が決定した宛先へ送出される。
【００８６】
次に、宛先管理装置２０の動作例について図１３を用いて説明する。
まず、複数の第１ポートｐ１のいずれかでフレームを受信すると（ステップＳ１３１）、フレームタイプ識別部２２４が、当該フレームに付与されたフレームタイプを識別する（ステップＳ１３２）。
フレームタイプ識別部２２４によりフレームタイプがＫＵであると識別された場合（ステップＳ１３２のＫＵルート）、送信元アドレス学習部２２１が、当該フレームの送信元アドレスと、当該フレームの受信ポートとを対応付けて学習する（ステップＳ１３３）。当該学習結果は、ＭＡＣテーブル２１１に格納される。
【００８７】
さらに、出力ポート決定部２２３が、送信元アドレス学習部２２１によるフレーム学習後、当該フレームを転送せずに、例えば廃棄する（ステップＳ１４０）。
一方、フレームタイプ識別部２２４によりフレームタイプがＵＫＵであると識別された場合（ステップＳ１３２のＵＫＵルート）、送信元アドレス学習部２２１が、当該フレームの送信元アドレスと、当該フレームの受信ポートとを対応付けて学習する（ステップＳ１３３）。当該学習結果は、ＭＡＣテーブル２１１に格納される。
【００８８】
次に、送信先アドレス検索部２２２が、前記受信したフレームに含まれる送信先アドレスをＭＡＣテーブル２１１が保持するアドレスエントリから検索し（ステップＳ１３４）、前記送信先アドレスが学習済みかどうかを判定する（ステップＳ１３５）。
ここで、前記受信したフレームに含まれる送信先アドレスがＭＡＣテーブル２１１にないと判定された場合は（ステップＳ１３５のＮｏルート）、出力ポート決定部２２３が、当該フレームを受信ポート以外の全ての第１ポートｐ１へ出力（フラッディング処理）することを決定する（ステップＳ１３６）。
【００８９】
また、ラベル付与部１２５が、当該フレームの送信元アドレス及び送信先アドレスに基づいて、フレームに付与するラベルをラベルテーブル２１２から検索し、検索により得たラベルをフレームに付与する（ステップＳ１３８）。
そして、ステップＳ１３８においてフレーム処理を施されたフレームは、出力ポート決定部２２３が決定した宛先からネットワークへ送信される（ステップＳ１３９）。
【００９０】
また、前記受信したフレームに含まれる送信先アドレスがＭＡＣテーブル２１１にあると判定された場合は（ステップＳ１３５のＹｅｓルート）、出力ポート決定部２２３が、当該フレームの送信先アドレスに対応する第１ポートｐ１へフレームを出力することを決定する（ステップＳ１３７）。
さらに、ラベル付与部１２５が、当該フレームの送信元アドレス及び送信先アドレスに基づいて、フレームに付与するラベルをラベルテーブル２１２から検索し、検索により得たラベルをフレームに付与する（ステップＳ１３８）。
【００９１】
そして、ステップＳ１３７及びＳ１３８においてフレーム処理を施されたフレームは、出力ポート決定部２２３が決定した宛先からネットワークへ送信される（ステップＳ１３９）。
以上のように、本例では、宛先管理装置２０が、伝送装置１０から受信したフレームを適切な宛先へ転送するので、フラッディング処理を抑制しつつ、確実なフレーム伝送を行なうことが可能となる。
【００９２】
（１．３）伝送システムの構成例
図１４は本発明の一実施形態に係る伝送システムの構成の一例を示す図である。
この図１４に示す伝送システムを含むネットワークは、企業の本社、データセンタ、ｘｘ支店及びｙｙ出張所を結ぶ広域ＬＡＮとして構成されている。なお、図１４に示す例では、ＶＰＬＳ（Virtual Private LAN Service）により提供されるＭＰＬＳ−ＰＷ（Multi Protocol Label Switching-Pseudo Wire）により、各エッジルータ（以下、ＰＥ：Provider Edgeともいう）が、ＬＳＰ（Label Switched Path）により相互接続されている。
【００９３】
また、図１４に示す伝送システムは、例えば、フレームの宛先を管理する宛先管理装置（アドレス解決装置）２０と、広域ＬＡＮにおいてフレームのスイッチングを行なう複数のＰＥ１０−１〜１０−４とをそなえる。なお、ＰＥ１０−１〜１０−４は、伝送装置１０の一例として機能するものであり、以下では、ＰＥ１０−１〜１０−４を区別しない場合、単にＰＥ１０と表記する。また、ＰＥ１０の数は図１４に例示する数に限定されない。さらに、以下では、ＰＥ１０−１，１０−２，１０−３，１０−４を、それぞれ、ＰＥ  Ｗ，ＰＥ  Ｘ，ＰＥ  Ｙ，ＰＥ  Ｚということがある。
【００９４】
図１４に例示する伝送システムにおいて、本社内ＬＡＮは、ネットワークアドレスＡ／２４を有しており、さらに本社内ＬＡＮは、ＰＥ１０−１に接続されたルータＲ−ａを介して広域ＬＡＮに接続されている。ルータＲ−ａのＭＡＣアドレスはａである。
データセンタ内ＬＡＮは、ネットワークアドレスＢ／２４を有しており、さらにデータセンタ内ＬＡＮは、ＰＥ１０−２に接続されたルータＲ−ｂを介して広域ＬＡＮに接続されている。ルータＲ−ｂのＭＡＣアドレスはｂである。
【００９５】
ｙｙ出張所内ＬＡＮは、ネットワークアドレスＣ／２４を有しており、さらにｙｙ出張所内ＬＡＮは、ＰＥ１０−３に接続されたルータＲ−ｃを介して広域ＬＡＮに接続されている。ルータＲ−ｃのＭＡＣアドレスはｃである。
ｘｘ支店内ＬＡＮは、ネットワークアドレスＤ／２４を有しており、さらにｘｘ支店内ＬＡＮは、ＰＥ１０−４に接続されたルータＲ−ｄを介して広域ＬＡＮに接続されている。ルータＲ−ｄのＭＡＣアドレスはｄである。
【００９６】
本社内ＬＡＮに接続されたＰＥ１０−１のポートｐ２は、ルータＲ−ａに接続されており、ＰＥ１０−１のポートＷＸは、ＰＥ１０−２に接続されている。また、ＰＥ１０−１のポートＷＹは、ＰＥ１０−３に接続されており、ＰＥ１０−１のポートｐ３は、宛先管理装置２０のポートｐ１−１に接続されている。
データセンタ内ＬＡＮに接続されたＰＥ１０−２のポートｐ２は、ルータＲ−ｂに接続されており、ＰＥ１０−２のポートＸＷはＰＥ１０−１に接続されている。また、ＰＥ１０−２のポートＸＹはＰＥ１０−３に接続されており、ＰＥ１０−２のポートｐ３は、宛先管理装置２０のポートｐ１−２に接続されている。
【００９７】
ｙｙ出張所内ＬＡＮに接続されたＰＥ１０−３のポートｐ２は、ルータＲ−ｃに接続されており、ＰＥ１０−３のポートＹＸはＰＥ１０−２に接続されている。また、ＰＥ１０−３のポートＹＷはＰＥ１０−１に接続されており、ＰＥ１０−３のポートＹＺはＰＥ１０−４に接続されている。さらに、ＰＥ１０−３のポートｐ３は、宛先管理装置２０のポートｐ１−３に接続されている。
【００９８】
ｘｘ支店内ＬＡＮに接続されたＰＥ１０−４のポートｐ２は、ルータＲ−ｄに接続されており、ＰＥ１０−４のポートＺＹは、ＰＥ１０−３に接続されている。また、ＰＥ１０−４のポートｐ３は、宛先管理装置２０のポートｐ１−４に接続されている。
以上のように、ＰＥ１０−１のポートｐ２，ＷＹ及びＷＸ、ＰＥ１０−２のポートｐ２，ＸＷ及びＸＹ、ＰＥ１０−３のポートｐ２，ＹＷ，ＹＸ及びＹＺ、並びに、ＰＥ１０−４のポートｐ２及びＺＹは、図８に例示する伝送装置１０の第２ポートｐ２に相当する。また、各ＰＥ１０のポートｐ３は、図８に例示する伝送装置１０の第３ポートｐ３に相当し、宛先管理装置２０のポートｐ１−１〜ｐ１−４は、図１１に例示する第１ポートｐ１に相当する。なお、各ＰＥ１０−１〜１０−４間は、ＭＰＬＳ  ＰＷによりフルメッシュに接続されているが、図１４に示す例では、ＰＥ１０−１，１０−４間及びＰＥ１０−２，１０−４間のＰＷの図示を省略している。
【００９９】
また、参照符号ＭＴ１，ＭＴ３及びＭＴ２０は、ＰＥ１０−１，ＰＥ１０−３及び宛先管理装置２０がフレームのフォワーディングに使用するＭＡＣテーブルである。ＭＡＣテーブルＭＴ１，ＭＴ３及びＭＴ２０は、各ＭＡＣアドレスを送信先アドレスに有するＭＡＣフレームをどのポートから出力すべきかを示す。
ここで、ＶＰＬＳでは、例えば、予めシグナリングされたＭＰＬＳ  ＰＷが論理的なポートとみなされる。
【０１００】
そのため、図１４に示す例では、ＰＥ１０−１のＭＡＣテーブルＭＴ１は、ルータＲ−ａのＭＡＣアドレスａとＰＥ１０−１のポートｐ２との組み合わせ、ルータＲ−ｂのＭＡＣアドレスｂとＰＥ１０−１のポートＷＸとの組み合わせ、並びに、ルータＲ−ｃのＭＡＣアドレスｃとＰＥ１０−１のポートＷＹとの組み合わせをアドレスエントリとして有する。
【０１０１】
また、ＰＥ１０−３のＭＡＣテーブルＭＴ３は、ルータＲ−ａのＭＡＣアドレスａとＰＥ１０−３のポートＹＷとの組み合わせ、ルータＲ−ｂのＭＡＣアドレスｂとＰＥ１０−３のポートＹＸとの組み合わせ、並びに、ルータＲ−ｃのＭＡＣアドレスｃとＰＥ１０−３のポートｐ２との組み合わせをアドレスエントリとして有する。
さらに、宛先管理装置２０のＭＡＣテーブルＭＴ２０は、ルータＲ−ａのＭＡＣアドレスａとポートｐ１−１（図１４では、ポートｐ１−１の接続先であるＰＥ  Ｗと表記）との組み合わせ、ルータＲ−ｂのＭＡＣアドレスｂとポートｐ１−２（図１４では、ポートｐ１−２の接続先であるＰＥ  Ｘと表記）との組み合わせ、ルータＲ−ｃのＭＡＣアドレスｃとポートｐ１−３（図１４では、ポートｐ１−３の接続先であるＰＥ  Ｙと表記）との組み合わせ、並びに、ルータＲ−ｄのＭＡＣアドレスｄとポートｐ１−４（図１４では、ポートｐ１−４の接続先であるＰＥ  Ｚと表記）との組み合わせをアドレスエントリとして有する。
【０１０２】
また、参照符号ＬＴ２０は、宛先管理装置２０がラベルの付与に使用するラベルテーブルである。ラベルテーブルＬＴ２０は、フレームの送信元とフレームの送信先とを示すラベル情報をどのように付与すべきかを示す。
例えば、ＰＥ  ＷとＰＥ  Ｘとの間でＭＡＣフレームを転送する際、ＰＥ  ＷからＰＥ  Ｘへ転送されるフレームにはラベルＷＸを付与し、ＰＥ  ＸからＰＥ  Ｗへ転送されるフレームにはラベルＸＷを付与するよう予めシグナリングされた場合を考える。このとき、ＰＥ  Ｘにおいて、送信元アドレスａを有するとともにラベルＷＸが付与されたＭＡＣフレームを受信すると、ＰＥ  Ｘは、送信先アドレスａを有するＭＡＣフレームを送信する際、当該ＭＡＣフレームにラベルＸＷを付与して送信する。これにより、例えば、ラベルＸＷを付与されたフレームを宛先管理装置２０から受信したＰＥ１０−１は、当該フレームが有する送信元アドレスと、ＰＥ−Ｗに接続されたポートＷＸとを対応付けて学習することができる。
【０１０３】
なお、ラベルテーブルは、宛先管理装置２０だけでなく、各ＰＥ１０が有していてもよく、この場合、各ＰＥ１０から送出されるフレームには、上述したルールに従って、所定のラベル情報が付与される。
（１．４）動作例
図１４に示すネットワークにおいて、例えば、本社内ＬＡＮの端末からデータセンタ内ＬＡＮの端末宛にパケットが送信される場合を考える。
【０１０４】
このとき、ＰＥ１０−１は、送信先アドレスｂに関するアドレスエントリを記憶している（即ち、送信先アドレスｂを学習済みである）ので、送信元アドレスａ及び送信先アドレスｂを有するフレームＦＲ２にラベルＷＸを付与してＰＥ１０−２へ転送する。
そしてさらに、本例のＰＥ１０−１は、ルータＲ−ａから受信したフレームを複製し、当該複製したフレームＦＲ１を、ポートｐ３を介して宛先管理装置２０へ送信する。なお、宛先管理装置２０へ送信されるフレームＦＲ１には、当該フレームＦＲ１がＰＥ１０−１において学習済みであることを示す識別情報（ＫＵ）が付与されてもよい。なお、ＫＵやＵＫＵなどの識別情報は、例えば、フレームが有するＣＷ（Control Word）と呼ばれるオプション領域に設定されうる。具体的には、ＣＷに含まれる予約（Reserved）領域をフレーム識別用の領域として用いることができる。例えば、当該領域に１が設定されたフレームをＫＵが付与されたフレームとして定めてもよいし、当該領域に２が設定されたフレームをＵＫＵが付与されたフレームとして定めてもよい。ＣＷの使用例については、〔７〕において後述する。
【０１０５】
宛先管理装置２０は、ＰＥ１０−１からＫＵが付与されたフレームＦＲ１を受信すると、当該フレームＦＲ１の送信元アドレスａと、当該フレームＦＲ１を受信したポートｐ１−１とを対応づけて学習（記憶）する。
これにより、宛先管理装置２０は、受信したフレームをどのポートｐ１へ転送すべきかを示すＭＡＣテーブルＭＴ２０を生成、管理することができる。また、宛先管理装置２０は、フレームにどのようなラベルを付与すべきかを示すラベルテーブルＬＴ２０を生成、管理してもよい。
【０１０６】
なお、宛先管理装置２０は、ＫＵが付与されたフレームＦＲ１を受信した場合、当該フレームＦＲ１を転送せずに、例えば廃棄してもよい。ＫＵが付与されたフレームは宛先を学習するためのフレーム（学習用フレーム）に過ぎず、複製元のフレームは、いずれかのＰＥ１０から適切な宛先へ送信されるためである。
また、例えば、ｙｙ出張所内ＬＡＮの端末から本社内ＬＡＮの端末宛にパケットが送信される場合も同様である。つまり、フレームＦＲ３及びＦＲ４についても同様に転送処理される。
【０１０７】
ここで、ＰＥ１０のＭＡＣテーブルに格納されるアドレスエントリに対するエージング（消去）は通常５分程度で行なわれるため、図１５に示すように、ＰＥ１０−３のＭＡＣテーブルＭＴ３からＭＡＣアドレスａに関するアドレスエントリがエージングされる場合がある。
そこで、ＰＥ１０−３のＭＡＣテーブルＭＴ３からＭＡＣアドレスａに関するアドレスエントリが消去されている一方、宛先管理装置２０のＭＡＣテーブルＭＴ２０がＭＡＣアドレスａに関するアドレスエントリを記憶しているような図１５に示す状況において、例えば、ｙｙ出張所内ＬＡＮの端末から本社内ＬＡＮの端末宛にパケットが送信される場合を考える。
【０１０８】
まず、ＰＥ１０−３は、送信元アドレスｃ及び送信先アドレスａを有するフレームをルータＲ−ｃから受信する（図１６のステップＳ１６０）。
すると、ＰＥ１０−３は、受信フレームが有する送信先アドレスａに関するアドレスエントリが記憶部１１に記憶されていないかどうかを検索（判定）する。しかし、ＰＥ１０−３の記憶部１１は、送信先アドレスａに関するアドレスエントリを記憶していないので（図１６のステップＳ１６１）、送信元アドレスｃ及び送信先アドレスａを有するフレームＦＲ５に識別情報（ＵＫＵ）を付与して宛先管理装置２０のみへ送信する。
【０１０９】
宛先管理装置２０は、ＰＥ１０−３からＵＫＵが付与されたフレームＦＲ５を受信すると（図１６のステップＳ１６２）、受信フレームが有する送信先アドレスａに関するアドレスエントリが管理部２１に記憶されていないかどうかを検索（判定）する。ここで、管理部２２は、送信先アドレスａに関するアドレスエントリを記憶しているので（図１６のステップＳ１６３）、ＭＡＣテーブルＭＴ２０が有するＭＡＣアドレスａに関するアドレスエントリに基づいて、当該フレームＦＲ５をＰＥ１０−１へ転送することを決定する。このとき、宛先管理装置２０は、受信フレームの送信元アドレス及び送信先アドレスに基づいて、当該フレームに付与するラベルをラベルテーブルＬＴ２０から検索する（図１６のステップＳ１６４）。本例では、ラベルＹＷが検索され、フレームＦＲ６にラベルＹＷが付与されてＰＥ１０−１へ転送される。なお、宛先管理装置２０は、ＳＮＭＰ（Simple Network Management Protocol）などを用いて各ＰＥ１０から収集した情報に基づいて、ラベルテーブルを生成（認識）するようにしてもよい。
【０１１０】
ＰＥ１０−１は、宛先管理装置２０からラベルＹＷが付与されたフレームＦＲ６を受信すると（図１６のステップＳ１６５）、当該フレームＦＲ６が有する送信元アドレスｃを、ラベルＹＷと対応付けて学習することができる。即ち、ＰＥ１０−１は、フレームＦＲ６があたかもＰＥ１０−３から送信されてきたかのように認識し、学習することができる（図１６のステップＳ１６６）。
【０１１１】
即ち、本例の第３ポートｐ３は、フレームの送信元を少なくとも示すラベル情報を有するラベル付きフレームを宛先管理装置２０から受信する機能を有する。
また、本例の記憶部１１は、第３ポートｐ３で受信したラベル付きフレームに含まれる送信元アドレスと、複数の第２ポートｐ２のうち、前記ラベル情報により示されるフレームの送信元に接続される第２ポートｐ２との間の対応関係を示すアドレスエントリを記憶する機能を有する。
【０１１２】
なお、ＰＥ１０−１において、ラベルＷＹに関するフレームＦＲ６が学習済みである場合は、ＭＡＣテーブルのエージングタイマをクリア（初期化）するようにしてもよい。ここで、エージングタイマは、送信元アドレス毎に、各フレームを受信してからの経過時間を計測するタイマであって、フレームが所定の時間受信されない場合、当該フレームの送信元アドレスに関するアドレスエントリを消去するエージング処理のトリガとなるタイマである。
【０１１３】
以上のように、本例によれば、ＰＥ１０が未学習のフレームを受信した場合であっても、当該フレームを宛先管理装置２０のみへ送信するので、フラッディング処理を抑制することができる。また、その結果、ネットワークのトラフィックを低減することが可能となる。
〔２〕第１変形例
図１５及び図１６に示す例では、ＰＥ１０−３が、送信先アドレスａを有する未学習のフレームＦＲ５を宛先管理装置２０のみに送信する例について説明した。
【０１１４】
しかし、このままではＰＥ１０−３は、送信先アドレスａを有するフレームＦＲ５を学習しないまま（学習漏れ）の状態であるため、当該フレームＦＲ５が常に宛先管理装置２０を経由して送信されることになる。結果、送信遅延が生じたり、宛先管理装置２０における転送処理の負荷が増大したりする場合がある。
そこで、本例では、図１７に例示するように、宛先管理装置２０が、ＵＫＵが付与されたフレームを受信したことを記憶しておく。具体的には例えば、宛先管理装置２０が、ＰＥ１０−３からＵＫＵが付与されたフレームを受信すると、ＵＫＵが付与されたフレームを受信したことを示すフラグ（ＵＫＵフラグ）をＯＮに設定するとともに、当該フレームの送信元に関する情報をＭＡＣテーブルＭＴ２０に記憶する（図１８のステップＳ１９１）。
【０１１５】
そして、宛先管理装置２０は、ＫＵが付与された受信フレームの送信元アドレスに関するＵＫＵフラグがＯＮであるかどうかを判定する（図１８のステップＳ１９２）。
ここで、ＵＫＵフラグがＯＮでないと判定されれば（図１８のステップＳ１９２のＮｏルート）、当該フレームは転送されずに、例えば廃棄されてもよい（図１８のステップＳ１９０）。
【０１１６】
一方、前記ＵＫＵフラグがＯＮである送信元アドレスａを有するフレームＦＲ７を他のＰＥ１０（図１７に示す例ではＰＥ１０−１）から受信した場合（図１８のステップＳ１９２のＹｅｓルート）、ＵＫＵフラグをＯＦＦに設定する（図１８のステップＳ１９３）。
そして、宛先管理装置２０は、当該フレームＦＲ７を廃棄せずに、前記ＵＫＵフラグと対応付けられた送信元であるＰＥ１０−３へ学習用フレームＦＲ９として転送する（図１８のステップＳ１９４）。なお、フレームＦＲ７はフレームＦＲ８を元にして複製されたフレームであり、フレームＦＲ８はＰＥ１０−１によって適切な宛先であるＰＥ１０−２へ送信される。なお、図１８において、ステップＳ１８１〜Ｓ１９０は、図１３のステップＳ１３１〜Ｓ１４０と同様の処理を示す。
【０１１７】
また、図１７に示す伝送システムの動作例について、図１９及び図２０を用いて説明する。
まず、ＰＥ１０−３は、送信元アドレスｃ及び送信先アドレスａを有するフレームをルータＲ−ｃから受信する（図１９のステップＳ１９５）。
すると、ＰＥ１０−３は、受信フレームが有する送信先アドレスａに関するアドレスエントリが記憶部１１に記憶されていないかどうかを検索（判定）する。しかし、ＰＥ１０−３の記憶部１１は、送信先アドレスａに関するアドレスエントリを記憶していないので（図１９のステップＳ１９６）、送信元アドレスｃ及び送信先アドレスａを有するフレームＦＲ５に識別情報（ＵＫＵ）を付与して宛先管理装置２０のみへ送信する。
【０１１８】
宛先管理装置２０は、ＰＥ１０−３からＵＫＵが付与されたフレームＦＲ５を受信すると（図１９のステップＳ１９７）、受信フレームが有する送信先アドレスａに関するアドレスエントリが管理部２１に記憶されていないかどうかを検索（判定）する。ここで、管理部２２は、送信先アドレスａに関するアドレスエントリを記憶しているので（図１９のステップＳ１９８）、ＭＡＣテーブルＭＴ２０が有するＭＡＣアドレスａに関するアドレスエントリに基づいて、当該フレームＦＲ５をＰＥ１０−１へ転送することを決定する。このとき、宛先管理装置２０は、受信フレームの送信元アドレスａに関するアドレスエントリに、ＵＫＵが付与されたフレームを受信したことを示すＵＫＵフラグをＯＮ設定し、さらに、当該フレームの送信元に関する情報（ＵＫＵ送信元）を対応付けて記憶する（図１９のステップＳ１９９）。
【０１１９】
また、宛先管理装置２０は、受信フレームの送信元アドレス及び送信先アドレスに基づいて、当該フレームに付与するラベルをラベルテーブルＬＴ２０から検索する（図１９のステップＳ２００）。本例では、ラベルＹＷが検索され、フレームにラベルＹＷが付与されてＰＥ１０−１へ転送される。なお、宛先管理装置２０は、ＳＮＭＰ（Simple Network Management Protocol）などを用いて各ＰＥ１０から収集した情報に基づいて、ラベルテーブルを生成（認識）するようにしてもよい。
【０１２０】
ＰＥ１０−１は、宛先管理装置２０からラベルＹＷが付与されたフレームを受信すると（図１９のステップＳ２０１）、当該フレームが有する送信元アドレスｃを、ラベルＹＷと対応付けて学習することができる。即ち、ＰＥ１０−１は、宛先管理装置２０から転送されたフレームがあたかもＰＥ１０−３から送信されてきたかのように認識し、学習することができる（図１９のステップＳ２０２）。
【０１２１】
次いで、ＰＥ１０−１が、送信元アドレスａ及び送信先アドレスｂを有するフレームをルータＲ−ａから受信する（図２０のステップＳ２０３）。
すると、ＰＥ１０−１は、受信フレームが有する送信先アドレスｂに関するアドレスエントリが記憶部１１に記憶されていないかどうかを検索（判定）する。ＰＥ１０−１の記憶部１１は、送信先アドレスｂに関するアドレスエントリを記憶しているので（図２０のステップＳ２０４）、送信元アドレスａ及び送信先アドレスｂを有するフレームＦＲ７にラベルＷＸを付与してＰＥ１０−２に接続されるポートＷＸへ送信する。
【０１２２】
一方、ＰＥ１０−１は、送信元アドレスａ及び送信先アドレスｂを有するフレームＦＲ８に識別情報ＫＵを付与して宛先管理装置２０へ送信する。
宛先管理装置２０は、ＰＥ１０−１からＫＵが付与されたフレームＦＲ８を受信すると（図２０のステップＳ２０５）、受信フレームが有する送信元アドレスａに関するアドレスエントリにＵＫＵフラグがＯＮ設定されていないかどうかを検索（判定）する。ここで、管理部２２は、送信先アドレスａに関するアドレスエントリにＵＫＵフラグがＯＮ設定されているので（図２０のステップＳ２０６）、学習用のフレームをＰＥ１０−３へ転送することを決定する。このとき、宛先管理装置２０は、受信フレームＦＲ８の送信元アドレス及び送信先アドレスに基づいて、当該フレームに付与するラベルをラベルテーブルＬＴ２０から検索する（図２０のステップＳ２０７）。本例では、ラベルＷＸが検索され、フレームＦＲ９にラベルＷＸが付与されてＰＥ１０−３へ転送される。なお、宛先管理装置２０は、ＳＮＭＰ（Simple Network Management Protocol）などを用いて各ＰＥ１０から収集した情報に基づいて、ラベルテーブルを生成（認識）するようにしてもよい。
【０１２３】
ＰＥ１０−３は、宛先管理装置２０からラベルＷＸが付与されたフレームＦＲ９を受信すると（図２０のステップＳ２０８）、当該フレームが有する送信元アドレスａを、ラベルＷＸと対応付けて学習することができる。即ち、ＰＥ１０−３は、宛先管理装置２０から転送されたフレームＦＲ９があたかもＰＥ１０−１から送信されてきたかのように認識し、学習することができる（図２０のステップＳ２０９）。
【０１２４】
即ち、本例の転送制御部２２は、複数の第１ポートｐ１のいずれかで受信したフレームに、伝送装置１０においてフレームが未学習であることを示すＵＫＵが付与されている場合、管理部２１で管理されているアドレスエントリに基づいて、当該ＵＫＵが付与されたフレームを複数の第１ポートｐ１のうち当該フレームが有する送信先アドレスに対応付けられた第１ポートｐ１へ転送する機能を有する。
【０１２５】
また、本例の転送制御部２２は、複数の第１ポートｐ１のいずれかで受信したフレームＦＲ７に、伝送装置１０においてフレームが学習済みであることを示すＫＵが付与されている場合、当該ＫＵが付与されたフレームＦＲ７を当該フレームＦＲが有する送信先アドレスとは異なる宛先であるＰＥ１０−３へ転送する機能を有する。
一方、宛先管理装置２０から学習用フレームＦＲ９を受信したＰＥ１０−３は、当該フレームＦＲ９に基づいて、ＭＡＣアドレスａを学習（補完）する。このとき、宛先管理装置２０から受信される学習用フレームＦＲ９にはラベルＷＹが付与されているので、ＰＥ１０−３は、当該フレームＦＲ９があたかもＰＥ１０−１から送信されてきたかのように学習することができる。
【０１２６】
即ち、本例の第２ポートｐ２は、フレームの送信元を少なくとも示すラベル情報が付与されたラベル付きフレームＦＲ９を宛先管理装置２０から受信する機能を有する。
また、本例の記憶部１１は、上記の第２ポートｐ２で受信した前記ラベル付きフレームＦＲ９に含まれる送信元アドレスと、複数の第１ポートｐ１のうち、前記ラベル情報により示される送信元に接続される第１ポートｐ１との間の対応関係を示すアドレスエントリを記憶する機能を有する。
【０１２７】
以上のように、本例によれば、上記実施形態と同様の効果が得られるほか、ＰＥ１０の学習漏れの状態を早期に改善することができるので、送信遅延の発生や宛先管理装置２０の負荷増大を抑制することが可能となる。
〔３〕第２変形例
また、図２１に例示するように、本例では、宛先管理装置２０が、ＵＫＵが付与されたフレームＦＲ１０を受信すると、ＰＥ１０−１へラベルを付与したフレームＦＲ１２を転送するとともに、宛先学習のためのフレームＦＲ１１を生成し（図２２のステップＳ２３１）、フレームＦＲ１０の送信元であるＰＥ１０−３に対し、フレームＦＲ１０の送信先アドレスａを送信元アドレスとして有する学習用フレームＦＲ１１を転送してもよい（図２２のステップＳ２３２）。なお、当該学習用フレームＦＲ１１には、学習用であることを示す識別情報「ＳＴＵＤＹ」が付されていてもよい（図２２のステップＳ２３３）。なお、図２２において、ステップＳ２２１〜Ｓ２３０は、図１３のステップＳ１３１〜Ｓ１４０と同様の処理を示す。
【０１２８】
即ち、本例の転送制御部２２は、複数の第１ポートｐ１のいずれかで受信したフレームに、送信先アドレスに関するアドレスエントリが記憶部１１に記憶されていないことを示すＵＫＵが付与されている場合は、当該フレームの送信元へ宛先学習のためのフレームを転送する機能を有する。
また、本例の転送制御部２２は、上記フレームに含まれる送信先アドレスを送信元アドレスとして有し、且つ、当該フレームの送信先を少なくとも示すラベル情報を有するラベル付きフレームを生成し、当該ラベル付きフレームを、前記ＵＫＵが付与されたフレームの送信元へ転送する機能を有する。
【０１２９】
図２１に例示する伝送システムの動作例について図２３を用いて説明する。
まず、ＰＥ１０−３は、送信元アドレスｃ及び送信先アドレスａを有するフレームをルータＲ−ｃから受信する（図２３のステップＳ２３４）。
すると、ＰＥ１０−３は、受信フレームが有する送信先アドレスａに関するアドレスエントリが記憶部１１に記憶されていないかどうかを検索（判定）する。しかし、ＰＥ１０−３の記憶部１１は、送信先アドレスａに関するアドレスエントリを記憶していないので（図２３のステップＳ２３５）、送信元アドレスｃ及び送信先アドレスａを有するフレームＦＲ１０に識別情報（ＵＫＵ）を付与して宛先管理装置２０のみへ送信する。
【０１３０】
宛先管理装置２０は、ＰＥ１０−３からＵＫＵが付与されたフレームＦＲ１０を受信すると（図２３のステップＳ２３６）、受信フレームが有する送信先アドレスａに関するアドレスエントリが管理部２１に記憶されていないかどうかを検索（判定）する。ここで、管理部２２は、送信先アドレスａに関するアドレスエントリを記憶しているので（図２３のステップＳ２３７）、ＭＡＣテーブルＭＴ２０が有するＭＡＣアドレスａに関するアドレスエントリに基づいて、当該フレームＦＲ１２をＰＥ１０−１へ転送することを決定する。このとき、宛先管理装置２０は、受信フレームの送信元アドレス及び送信先アドレスに基づいて、当該フレームに付与するラベルをラベルテーブルＬＴ２０から検索する（図２３のステップＳ２３８）。本例では、ラベルＹＷが検索され、フレームＦＲ１２にラベルＹＷが付与されてＰＥ１０−１へ転送される。なお、宛先管理装置２０は、ＳＮＭＰ（Simple Network Management Protocol）などを用いて各ＰＥ１０から収集した情報に基づいて、ラベルテーブルを生成（認識）するようにしてもよい。
【０１３１】
ＰＥ１０−１は、宛先管理装置２０からラベルＹＷが付与されたフレームＦＲ１２を受信すると（図２３のステップＳ２３９）、当該フレームＦＲ１２が有する送信元アドレスｃを、ラベルＹＷと対応付けて学習することができる。即ち、ＰＥ１０−１は、フレームＦＲ１２があたかもＰＥ１０−３から送信されてきたかのように認識し、学習することができる（図２３のステップＳ２４０）。
【０１３２】
また、宛先管理装置２０は、ＰＥ１０−３に宛先（例えば、ＭＡＣアドレスａ）を学習させるための学習用フレームＦＲ１１を生成する（図２３のステップＳ２４１）。このとき、宛先管理装置２０は、フレームＦＲ１０の送信元アドレスｃ及び送信先アドレスａに基づいて、当該フレームに付与するラベルをラベルテーブルＬＴ２０から検索する（図２３のステップＳ２４２）。本例では、ラベルＷＹが検索され、フレームＦＲ１１にラベルＷＹが付与される。
【０１３３】
ここで、フレームＦＲ１１は単なる学習用フレームに過ぎないので、例えば、ＰＥ１０−３からｙｙ出張所内ＬＡＮの端末などへ転送されるべきではない。
そこで、宛先管理装置２０は、フレームＦＲ１１が学習用フレームであることを示す識別情報（ＳＴＵＤＹ）をフレームＦＲ１１に付与してＰＥ１０−３へ送信することができる。識別情報ＳＴＵＤＹを付与されたフレームＦＲ１１を受信したＰＥ１０−３は、当該フレームＦＲ１１が学習用フレームであることを識別し、当該フレームＦＲ１１を転送せずに、例えば廃棄することができる。そのため、学習用フレームＦＲ１１は、送信先アドレスとして任意のＭＡＣアドレスを有していてもよい。
【０１３４】
なお、識別情報ＳＴＵＤＹも、ＵＫＵやＫＵと同様に、例えば、フレームが有するＣＷと呼ばれるオプション領域に設定されうる。具体的には例えば、当該領域に３が設定されたフレームをＳＴＵＤＹが付与されたフレームとして定めてもよい。
ＰＥ１０−３は、宛先管理装置２０からラベルＷＹ及び識別情報ＳＴＵＤＹが付与されたフレームＦＲ１１を受信すると（図２３のステップＳ２４３）、当該フレームＦＲ１１が有する送信元アドレスａを、ラベルＷＹと対応付けて学習することができる。即ち、ＰＥ１０−３は、フレームＦＲ１１があたかもＰＥ１０−１から送信されてきたかのように認識し、学習することができる（図２３のステップＳ２４４）。
【０１３５】
従って、本例によれば、上記実施形態と同様の効果が得られるほか、ＰＥ１０の学習漏れの状態を早期に改善することができるので、送信遅延の発生や宛先管理装置２０の負荷増大を抑制することが可能となる。
〔４〕第３変形例
上記実施形態及び各変形例では、ＰＥ１０が学習済みのフレームを受信する毎に、当該フレームが、宛先管理装置２０に接続される第３ポートｐ３へ送信されている。その結果、ＰＥ１０から宛先管理装置２０へ送信される学習用フレームのトラフィック量が増大する場合がある。
【０１３６】
そこで、本例のＰＥ１０は、学習済みのフレームを受信する毎に、宛先管理装置２０に接続される第３ポートｐ３へ送信しなくてもよい。具体的には例えば、宛先管理装置２０のＭＡＣテーブルＭＴ２０においてエージング処理されない程度の送信間隔で、ＰＥ１０が学習用フレームを第３ポートｐ３へ送信すればよい。
このため、本例のＰＥ１０は、ＭＡＣフィールド，ＰＯＲＴフィールド，エージングタイマフィールド及びコピータイマフィールドを少なくとも有するＭＡＣテーブルを有する。なお、このＭＡＣテーブルも、上記実施形態及び各変形例と同様、ＰＥ１０の記憶部１１により保持されうる。
【０１３７】
即ち、本例のＰＥ１０は、図２４に例示するように、まず、複数の第２ポートｐ２のいずれかでフレームを受信すると（ステップＳ２５１）、送信元アドレス学習部１２１が、当該フレームの送信元アドレスと、当該フレームの受信ポートとを対応付けて学習する（ステップＳ２５２）。当該学習結果は、ＭＡＣテーブル１１１に格納される。
次に、送信先アドレス検索部１２２が、前記受信したフレームに含まれる送信先アドレスをＭＡＣテーブル１１１が保持するアドレスエントリから検索し（ステップＳ２５３）、前記送信先アドレスが学習済みかどうかを判定する（ステップＳ２５４）。
【０１３８】
ここで、前記受信したフレームに含まれる送信先アドレスがＭＡＣテーブル１１１にないと判定された場合は（ステップＳ２５４のＮｏルート）、出力ポート決定部１２３が、当該フレームを第３ポートｐ３のみに出力することを決定する（ステップＳ２５５）。
そして、フレームタイプ付与部１２４が、当該フレームにフレームタイプ「ＵＫＵ」を付与するとともに（ステップＳ２５６）、ラベル付与部１２５が、ラベルテーブル１１２の内容に基づいてラベルを付与する（ステップＳ２５９）。
【０１３９】
ステップＳ２５５，Ｓ２５６及びＳ２５９においてフレーム処理を施されたフレームは、出力ポート決定部１２３が決定した宛先からネットワークへ送信される（ステップＳ２６０）。
一方、前記受信したフレームに含まれる送信先アドレスがＭＡＣテーブル１１１にあると判定された場合は（ステップＳ２５４のＹｅｓルート）、出力ポート決定部１２３が、当該フレームの送信先アドレスに関するコピータイマが満了しているかどうかを判定する（ステップＳ２６１）。具体的には例えば、出力ポート決定部１２３により、コピータイマの値が所定値以上かどうか判定される。
【０１４０】
そして、コピータイマの値が所定値未満であると判定された場合（ステップＳ２６１のＮｏルート）、出力ポート決定部１２３は、受信フレームの送信先アドレスに対応する第２ポートｐ２のみに出力することを決定する（ステップＳ２６３）。このように、本例では、ＰＥ１０が、宛先管理装置２０へ学習用フレームを送信しない場合がある。
次いで、ラベル付与部１２５が、ラベルテーブル１１２の内容に基づいてラベルを付与する（ステップＳ２５９）。
【０１４１】
ステップＳ２６３及びＳ２５９においてフレーム処理を施されたフレームは、出力ポート決定部１２３が決定した宛先からネットワークへ送信される（ステップＳ２６０）。
また、コピータイマの値が所定値以上であると判定された場合（ステップＳ２６１のＹｅｓルート）、出力ポート決定部１２３は、ＭＡＣテーブル１１１に保持されるコピータイマの値をクリア（初期化）する（ステップＳ２６２）。
【０１４２】
そして、出力ポート決定部１２３が、当該フレームの送信先アドレスに対応する第２ポートｐ２と第３ポートｐ３とにフレームを出力することを決定する（ステップＳ２５７）。
次いで、フレームタイプ付与部１２４が、当該フレームにフレームタイプ「ＫＵ」を付与するとともに（ステップＳ２５８）、ラベル付与部１２５が、ラベルテーブル１１２の内容に基づいてラベルを付与する（ステップＳ２５９）。
【０１４３】
ステップＳ２５７〜Ｓ２５９においてフレーム処理を施されたフレームは、出力ポート決定部１２３が決定した宛先からネットワークへ送信される（ステップＳ２６０）。
即ち、本例の送信制御部１２は、フレームを第３ポートｐ３と第２ポートｐ２とに送信してから所定の時間が経過するまでに、記憶部１１が記憶しているアドレスエントリに対応付けられた送信先アドレスを有するフレームを受信した場合、当該フレームを前記アドレスエントリによって前記送信先アドレスと対応付けられた第２ポートｐ２にのみ送信する機能を有する。
【０１４４】
本例のＰＥ１０の動作の一例を図２５（Ａ）〜（Ｇ）に示す。
まず、図２５（Ａ）に示すように、例えば、いずれのフレームも未学習の場合において、ＰＥ１０が、送信元アドレス（ＳＡ）ａ及び送信先アドレス（ＤＡ）ｂを有するフレームをポートｐ２−１で受信する。
ＰＥ１０は、送信元アドレスａを有するフレームをポートｐ２−１で受信したので、ＭＡＣアドレスａとポートｐ２−１とを対応付けたアドレスエントリを生成する。このとき、エージングタイマ及びコピータイマの初期値はそれぞれ０である。
【０１４５】
一方、ＰＥ１０のＭＡＣテーブルには送信先アドレスｂに関するアドレスエントリが記憶されていないので、ＰＥ１０は、ポートｐ２−１で受信したフレームを宛先管理装置２０に接続されるポートｐ３のみに送信する。
図２５（Ａ）に示す状態から１０秒後の状態を図２５（Ｂ）に示す。この図２５（Ｂ）に示すように、ＰＥ１０が、送信元アドレスｂ及び送信先アドレスａを有するフレームをポートｐ２−２で受信する。
【０１４６】
ＰＥ１０は、送信元アドレスｂを有するフレームをポートｐ２−２で受信したので、ＭＡＣアドレスｂとポートｐ２−２とを対応付けたアドレスエントリを生成する。このとき、ＭＡＣアドレスａに関するエージングタイマ及びコピータイマは１０となり、ＭＡＣアドレスｂに関するエージングタイマ及びコピータイマの初期値はそれぞれ０となる。
一方、ＰＥ１０のＭＡＣテーブルには送信先アドレスａに関するアドレスエントリが記憶されているので、ＰＥ１０は、ポートｐ２−２で受信したフレームを送信先アドレスａに対応付けられたポートｐ２−１に送信する。
【０１４７】
次に、図２５（Ｂ）に示す状態から更に１０秒後の状態を図２５（Ｃ）に示す。この図２５（Ｃ）に示すように、ＰＥ１０が、送信元アドレスａ及び送信先アドレスｂを有するフレームをポートｐ２−１で受信する。
ＰＥ１０は、送信元アドレスａを有するフレームをポートｐ２−１で受信したので、ＭＡＣアドレスａとポートｐ２−１とを対応付けたアドレスエントリのエージングタイマを初期化する。このとき、ＭＡＣアドレスａに関するコピータイマは２０となり、ＭＡＣアドレスｂに関するエージングタイマ及びコピータイマはそれぞれ１０となる。
【０１４８】
一方、ＰＥ１０のＭＡＣテーブルには送信先アドレスｂに関するアドレスエントリが記憶されており、且つ、送信元アドレスａに関するコピータイマが所定値（例えば、３００）未満であるので、ＰＥ１０は、ポートｐ２−１で受信したフレームを送信先アドレスｂに対応付けられたポートｐ２−２のみに送信する。
次に、図２５（Ｃ）に示す状態から更に１０秒後の状態を図２５（Ｄ）に示す。この図２５（Ｄ）に示すように、ＰＥ１０が、送信元アドレスｂ及び送信先アドレスａを有するフレームをポートｐ２−２で受信する。
【０１４９】
ＰＥ１０は、送信元アドレスｂを有するフレームをポートｐ２−２で受信したので、ＭＡＣアドレスｂとポートｐ２−２とを対応付けたアドレスエントリのエージングタイマを初期化する。このとき、ＭＡＣアドレスｂに関するコピータイマは２０となり、ＭＡＣアドレスａに関するエージングタイマ及びコピータイマはそれぞれ１０、３０となる。
一方、ＰＥ１０のＭＡＣテーブルには送信先アドレスａに関するアドレスエントリが記憶されており、且つ、送信元アドレスｂに関するコピータイマが上記の所定値未満であるので、ＰＥ１０は、ポートｐ２−２で受信したフレームを送信先アドレスａに対応付けられたポートｐ２−１のみに送信する。
【０１５０】
次に、図２５（Ｄ）に示す状態から更に２７０秒後の状態を図２５（Ｅ）に示す。この図２５（Ｅ）に示すように、ＰＥ１０が、送信元アドレスａ及び送信先アドレスｂを有するフレームをポートｐ２−１で受信する。
ＰＥ１０は、送信元アドレスａを有するフレームをポートｐ２−１で受信したので、ＭＡＣアドレスａとポートｐ２−１とを対応付けたアドレスエントリのエージングタイマを初期化する。このとき、ＭＡＣアドレスｂに関するエージングタイマ及びコピータイマはそれぞれ２７０、２９０となる。
【０１５１】
一方、ＰＥ１０のＭＡＣテーブルには送信先アドレスｂに関するアドレスエントリが記憶されており、且つ、送信元アドレスａに関するコピータイマが上記の所定値以上であるので、ＰＥ１０は、ポートｐ２−１で受信したフレームを送信先アドレスｂに対応付けられたポートｐ２−２と、宛先管理装置２０に接続されるポートｐ３との両方に送信する。
そして、ＰＥ１０は、ＭＡＣアドレスａとポートｐ２−１とを対応付けたアドレスエントリのコピータイマを初期化する。
【０１５２】
次に、図２５（Ｅ）に示す状態から更に１０秒後の状態を図２５（Ｆ）に示す。この図２５（Ｆ）に示すように、ＰＥ１０が、送信元アドレスｂ及び送信先アドレスａを有するフレームをポートｐ２−２で受信する。
ＰＥ１０は、送信元アドレスｂを有するフレームをポートｐ２−２で受信したので、ＭＡＣアドレスｂとポートｐ２−２とを対応付けたアドレスエントリのエージングタイマを初期化する。このとき、ＭＡＣアドレスａに関するエージングタイマ及びコピータイマはそれぞれ１０となる。
【０１５３】
一方、ＰＥ１０のＭＡＣテーブルには送信先アドレスａに関するアドレスエントリが記憶されており、且つ、送信元アドレスｂに関するコピータイマが上記の所定値以上であるので、ＰＥ１０は、ポートｐ２−２で受信したフレームを送信先アドレスａに対応付けられたポートｐ２−１と、宛先管理装置２０に接続されるポートｐ３との両方に送信する。
そして、ＰＥ１０は、ＭＡＣアドレスｂとポートｐ２−２とを対応付けたアドレスエントリのコピータイマを初期化する。
【０１５４】
図２５（Ｆ）に示す状態から更に十分な時間が経過した状態を図２５（Ｇ）に示す。この図２５（Ｇ）に示すように、エージングタイマが所定値（例えば、３００）以上になると、ＰＥ１０は、対応するアドレスエントリを消去する。
このように、本例では、ＰＥ１０から宛先管理装置２０へ送信されるフレームのトラフィック量を抑制することができるので、ネットワーク負荷を低減することが可能となる。
【０１５５】
なお、図２５に示す例では、宛先管理装置２０でのエージング期間（第１のエージングタイム）を３００秒と想定し、コピータイマの上限値を３００秒に設定した。この場合、ＰＥ１０から宛先管理装置２０への学習用フレームの送信は、アドレスエントリ毎に、多くとも３００秒に１回行なわれる。例えば、ＭＡＣテーブルに記憶されるアドレスエントリ数が１００万個であって、送信されるパケットの長さが６４Ｂであるとすると、学習用フレームのトラフィック量をせいぜい１．７Ｍｂｐｓ程度のトラフィック量にまで圧縮することができる。例えばパケット長が１５１８Ｂであるとしても、学習用フレームのトラフィック量をせいぜい４０Ｍｂｐｓ程度のトラフィック量にまで圧縮することができる。
【０１５６】
また、図２５に示す例では、ＰＥ１０のＭＡＣテーブルのエージングタイマの上限値（第２のエージングタイム）及びコピータイマの上限値をそれぞれ３００秒としたが、互いに異なる値であってもよい。また、図２５に示す例では、宛先管理装置２０でのエージング期間を３００秒と想定し、コピータイマの上限値を３００秒に設定したが、コピータイマの上限値を宛先管理装置２０でのエージング期間（第１のエージングタイム）以下としてもよい。
【０１５７】
〔５〕第４変形例
前述のように、ＰＥ１０から受信したフレームが宛先管理装置２０において未学習である場合、宛先管理装置２０は、受信ポート以外のポートへフラッディング処理を行なう。
宛先管理装置２０は、ネットワークに存在する各ＰＥ１０から学習用フレームを受信できるため、通常であればフレームの学習漏れは発生しえない。また、たとえ学習漏れがあったとしても、当該学習漏れは、学習用フレームを受信するまでしか続かないため、フラッディング処理が長時間に亘って発生し続ける可能性は低い。
【０１５８】
ところが、例えば、端末がコンピュータウイルスに感染した場合など、ネットワーク上には存在しないＭＡＣアドレスを送信先としたパケットが送信されることがある。結果、宛先管理装置２０からフラッディング処理されたフレームがネットワークトラフィックを圧迫する場合がある。
例えば、図２６に示すように、ネットワーク上に存在しない送信先アドレスｖを有するフレームがルータＲ−ｃからＰＥ１０−３へ送信された場合、ＭＡＣテーブルＭＴ３には送信先アドレスｖに関するアドレスエントリがないので、ＰＥ１０−３は、送信元アドレスｃ及び送信先アドレスｖを有するフレームＦＲ１３を宛先管理装置２０のみへ送信する。
【０１５９】
しかし、送信先アドレスｖはネットワーク上には存在しない宛先であるため、宛先管理装置２０においても、フレームＦＲ１３の宛先がわからない。
この場合、宛先管理装置２０は、フレームＦＲ１３を受信ポート以外の全てのポートへフレームＦＲ１４，ＦＲ１５及びＦＲ１６として転送（フラッディング）する。
ここで、本例の宛先管理装置２０は、上記フラッディング処理の発生が所定の条件を満たす場合、フラッディング処理されるフレームＦＲ１３の送信元であるＰＥ１０−３に対し、当該フレームＦＲ１３を送信しないように指示する。
【０１６０】
具体的には例えば、転送制御部２２が、図２７に示すように、フラッディング処理の対象であるフレームＦＲ１３の送信を停止するため、例えば当該フレームの廃棄を示す情報（ＤＣＤ：Discard）を付与した廃棄情報付きフレームＦＲ１７を生成する。そして、転送制御部２２は、フレームＦＲ１３の送信元であるＰＥ１０−３へ廃棄情報付きフレームＦＲ１７を送信する。なお、識別情報ＤＣＤは、例えば、フレームが有するＣＷと呼ばれるオプション領域に設定されうる。具体的には、ＣＷに含まれる予約（Reserved）領域をフレーム識別用の領域として用いることができる。例えば、当該領域に４が設定されたフレームをＤＣＤが付与されたフレームとして定めてもよい。
【０１６１】
また、廃棄情報付きフレームＦＲ１７の送信元アドレスにはＭＡＣアドレスｖが設定されており、当該フレームＦＲ１７を受信したＰＥ１０−３は、例えば、送信元アドレスｖとＮｕｌｌポートとを対応付けたアドレスエントリを記憶する。これにより、ＰＥ１０−３は、他の装置から送信先アドレスｖを有するフレームを受信しても、当該フレームを廃棄することが可能となる。
【０１６２】
即ち、本例の第２ポートｐ３は、ＤＣＤが付与された廃棄情報付きフレームＦＲ１７を宛先管理装置２０から受信する機能を有する。
また、本例の送信制御部１１は、上記の第３ポートｐ３で受信された廃棄情報付きフレームＦＲ１７に含まれる送信元アドレスｖ宛のフレームを複数の第２ポートｐ２のいずれかで受信した場合、当該フレームを送信せずに、例えば廃棄する機能を有する。
【０１６３】
本例の宛先管理装置２０の動作例について図２８を用いて説明する。
まず、複数の第１ポートｐ１のいずれかでフレームを受信すると（ステップＳ２８１）、フレームタイプ識別部２２４が、当該フレームに付与されたフレームタイプを識別する（ステップＳ２８２）。
フレームタイプ識別部２２４によりフレームタイプがＫＵであると識別された場合（ステップＳ２８２のＫＵルート）、送信元アドレス学習部２２１が、当該フレームの送信元アドレスと、当該フレームの受信ポートとを対応付けて学習する（ステップＳ２８３）。当該学習結果は、ＭＡＣテーブル２１１に格納される。
【０１６４】
さらに、出力ポート決定部２２３が、送信元アドレス学習部２２１によるフレーム学習後、当該フレームを転送せずに、例えば廃棄する（ステップＳ２９０）。
一方、フレームタイプ識別部２２４によりフレームタイプがＵＫＵであると識別された場合（ステップＳ２８２のＵＫＵルート）、送信元アドレス学習部２２１が、当該フレームの送信元アドレスと、当該フレームの受信ポートとを対応付けて学習する（ステップＳ２８３）。当該学習結果は、ＭＡＣテーブル２１１に格納される。
【０１６５】
次に、送信先アドレス検索部２２２が、前記受信したフレームに含まれる送信先アドレスをＭＡＣテーブル２１１が保持するアドレスエントリから検索し（ステップＳ２８４）、前記送信先アドレスが学習済みかどうかを判定する（ステップＳ２８５）。
ここで、前記受信したフレームに含まれる送信先アドレスがＭＡＣテーブル２１１にあると判定された場合は（ステップＳ２８５のＹｅｓルート）、出力ポート決定部２２３が、当該フレームの送信先アドレスに対応する第１ポートｐ１へフレームを出力することを決定する（ステップＳ２８７）。
【０１６６】
さらに、ラベル付与部１２５が、当該フレームの送信元アドレス及び送信先アドレスに基づいて、フレームに付与するラベルをラベルテーブル２１２から検索し、検索により得たラベルをフレームに付与する（ステップＳ２８８）。
そして、ステップＳ２８７及びＳ２８８においてフレーム処理を施されたフレームは、出力ポート決定部２２３が決定した宛先からネットワークへ送信される（ステップＳ２８９）。
【０１６７】
また、前記受信したフレームに含まれる送信先アドレスがＭＡＣテーブル２１１にないと判定された場合は（ステップＳ２８５のＮｏルート）、出力ポート決定部２２３が、さらに、前記受信したフレームに含まれる送信先アドレスがＭＡＣテーブル２１１にないと判定される状態が所定の期間以上継続したかどうかを判定する（ステップＳ２９１）。
前記受信したフレームに含まれる送信先アドレスがＭＡＣテーブル２１１にないと判定される状態が所定の期間以上継続していないと判定されれば（ステップＳ２９１のＮｏルート）、出力ポート決定部２２３は、当該フレームを受信ポート以外の全ての第１ポートｐ１へ出力（フラッディング処理）することを決定する（ステップＳ２８６）。
【０１６８】
一方、前記受信したフレームに含まれる送信先アドレスがＭＡＣテーブル２１１にないと判定される状態が所定の期間以上継続したと判定されれば（ステップＳ２９１のＹｅｓルート）、出力ポート決定部２２３は、廃棄情報（ＤＣＤ）を付与したフレームを生成し（ステップＳ２９２）、受信フレームの送信元へ送信することを決定する（ステップＳ２９３）。
【０１６９】
また、ラベル付与部１２５が、当該フレームの送信元アドレス及び送信先アドレスに基づいて、フレームに付与するラベルをラベルテーブル２１２から検索し、検索により得たラベルをフレームに付与する（ステップＳ２８８）。
そして、ステップＳ２８６，Ｓ２９２，Ｓ２９３及びＳ２８８においてフレーム処理を施されたフレームは、出力ポート決定部２２３が決定した宛先からネットワークへ送信される（ステップＳ２８９）。
【０１７０】
次に、本例のＰＥ１０の動作例について図２９を用いて説明する。
まず、複数の第２ポートｐ２のいずれかでフレームを受信すると（ステップＳ２９１）、送信制御部１２が、当該フレームに付与されたフレームタイプを識別する（ステップＳ３０１）。
送信制御部１２によりフレームタイプがＳＴＵＤＹ，ＤＣＤ以外であると識別された場合（ステップＳ３０１のＳＴＵＤＹ，ＤＣＤ以外ルート）、送信元アドレス学習部１２１が、当該フレームの送信元アドレスと、当該フレームの受信ポートとを対応付けて学習する（ステップＳ２９２）。当該学習結果は、ＭＡＣテーブル１１１に格納される。
【０１７１】
次に、送信先アドレス検索部１２２が、前記受信したフレームに含まれる送信先アドレスをＭＡＣテーブル１１１が保持するアドレスエントリから検索し（ステップＳ２９３）、前記送信先アドレスが学習済みかどうかを判定する（ステップＳ２９４）。
ここで、前記受信したフレームに含まれる送信先アドレスがＭＡＣテーブル１１１にないと判定された場合は（ステップＳ２９４のＮｏルート）、出力ポート決定部１２３が、当該フレームを第３ポートｐ３のみに出力することを決定する（ステップＳ２９５）。
【０１７２】
そして、フレームタイプ付与部１２４が、当該フレームにフレームタイプ「ＵＫＵ」を付与するとともに（ステップＳ２９６）、ラベル付与部１２５が、ラベルテーブル１１２の内容に基づいてラベルを付与する（ステップＳ２９９）。
ステップＳ２９５，Ｓ２９６及びＳ２９９においてフレーム処理を施されたフレームは、出力ポート決定部１２３が決定した宛先からネットワークへ送信される（ステップＳ３００）。
【０１７３】
一方、前記受信したフレームに含まれる送信先アドレスがＭＡＣテーブル１１１にあると判定された場合は（ステップＳ２９４のＹｅｓルート）、出力ポート決定部１２３が、当該フレームの送信先アドレスに対応する第２ポートｐ２と第３ポートｐ３とにフレームを出力することを決定する（ステップＳ２９７）。
そして、フレームタイプ付与部１２４が、当該フレームにフレームタイプ「ＫＵ」を付与するとともに（ステップＳ２９８）、ラベル付与部１２５が、ラベルテーブル１１２の内容に基づいてラベルを付与する（ステップＳ２９９）。
【０１７４】
ステップＳ２９７〜Ｓ２９９においてフレーム処理を施されたフレームは、出力ポート決定部１２３が決定した宛先からネットワークへ送信される（ステップＳ３００）。
一方、送信制御部１２によりフレームタイプがＳＴＵＤＹであると識別された場合（ステップＳ３０１のＳＴＵＤＹルート）、送信元アドレス学習部１２１が、当該フレームの送信元アドレスと、当該フレームの受信ポートとを対応付けて学習する（ステップＳ２９２）。当該学習結果は、ＭＡＣテーブル１１１に格納される。
【０１７５】
そして、出力ポート決定部１２３は、当該フレームが学習用フレームであると判定し、当該学習用フレームを送信せずに、例えば廃棄する（ステップＳ３０３）。
また、送信制御部１２によりフレームタイプがＤＣＤであると識別された場合（ステップＳ３０１のＤＣＤルート）、送信元アドレス学習部１２１が、当該フレームの送信元アドレスと、例えばＮｕｌｌ値などの廃棄用のポート設定値とを対応付けて学習する（ステップＳ３０２）。当該学習結果は、ＭＡＣテーブル１１１に格納される。
【０１７６】
そして、出力ポート決定部１２３は、当該フレームが廃棄フレームであると判定し、これ以降、廃棄対象のフレームを受信しても他へは送信せずに、例えば廃棄する（ステップＳ３０３）。
これにより、ネットワーク中に存在しない宛先を有するフレームの拡散を防止することができ、ネットワークトラフィックの増大を抑制することが可能となる。
【０１７７】
〔６〕第５変形例
また、図３０に例示するように、宛先管理装置２０を主系の宛先管理装置２０−１と少なくとも１つの従系の宛先管理装置２０−２とにより冗長構成としてもよい。主系の宛先管理装置２０−１は、前述の宛先管理装置２０と同様の構成及び機能を有する。一方、従系の宛先管理装置２０−２は、前述の宛先管理装置２０と同様の構成及び機能に加えて、主系の宛先管理装置２０−１に障害が発生していないかどうか監視する機能を有する。
【０１７８】
ここで、従系の宛先管理装置２０−２は、主系の宛先管理装置２０−１に障害が発生した場合に主従を切り替える機能を有する。なお、従系の宛先管理装置２０−２は、主系の宛先管理装置２０−１に障害が発生していない場合は、フレームの学習を行なう一方、フレームの転送を行なわなくてもよい。フレームの転送は主系の宛先管理装置２０−１によって行なわれるためである。
【０１７９】
さらに、従系の宛先管理装置２０−２は、各ＰＥ１０が有する第３ポートｐ３を介して各ＰＥ１０と接続されている。このとき、第３ポートｐ３は複数のポートｐ３−１，ｐ３−２をそなえ、例えば、主系の宛先管理装置２０−１は第３ポートｐ３−１と接続される一方、従系の宛先管理装置２０−２は第３ポートｐ３−２と接続されてもよい。
具体的には例えば、図３０に示すように、ＰＥ１０−３のＭＡＣテーブルＭＴ３がＭＡＣアドレスａに関するアドレスエントリを記憶していない場合において、ＰＥ１０−３は、ルータＲ−ｃから送信先アドレスａ及び送信元アドレスｃを有するフレームを受信する。
【０１８０】
ＭＡＣテーブルＭＴ３にはＭＡＣアドレスａに関するアドレスエントリがないので、ＰＥ１０−３は、送信先アドレスａ及び送信元アドレスｃを有するフレームＦＲ１８を主系の宛先管理装置２０−１へ送信し、同じく送信先アドレスａ及び送信元アドレスｃを有するフレームＦＲ１９を従系の宛先管理装置２０−２へ送信する。
これにより、主系の宛先管理装置２０−１及び従系の宛先管理装置２０−２は、ＰＥ１０−３から受信したフレームＦＲ１８及びＦＲ１９に基づいて、フレームの宛先を学習することができる。
【０１８１】
そして、図３０に示す例では、主系の宛先管理装置２０−１において障害が発生していないので、フレームＦＲ２０は、従系の宛先管理装置２０−２ではなく、主系の宛先管理装置２０−１によってＰＥ１０−１へ転送される。
従系の宛先管理装置２０−２は、主系の宛先管理装置２０−１において障害が発生しているかどうかを監視し、図３１に示すように、主系の宛先管理装置２０−１において障害が発生したことを検知すると、従系の宛先管理装置２０−２が主従を切り替え、それまで主系の宛先管理装置２０−１が行なってきた動作を引き継ぐ。
【０１８２】
具体的には例えば、ＰＥ１０−１がルータＲ−ａから送信元アドレスａ及び送信先アドレスｂを有するフレームを受信する。
ＭＡＣテーブルＭＴ１には送信先アドレスｂに関するアドレスエントリが記憶されているので、ＰＥ１０−１は、ラベルＷＸを付与したフレームＦＲ２２を適切な宛先であるＰＥ１０−２へ送信するとともに、ＫＵを付した学習用フレームＦＲ２１を従系の宛先管理装置２０−２へ送信する。
【０１８３】
フレームＦＲ２１を受信した従系の宛先管理装置２０−２は、主系の宛先管理装置２０−１に代わって、フレームＦＲ２１にラベルＷＹを付与したフレームＦＲ２３をＰＥ１０−３へ転送する。
以上のように、本例によれば、上記の実施形態及び各変形例と同様の効果が得られるほか、宛先管理装置２０に障害が発生した場合であっても、フラッディング処理の発生を抑制することが可能となる。
【０１８４】
〔７〕ＣＷの使用例
上述したフレームは、図３２に示すように、例えば、レイヤ２（Ｌ２）ヘッダと、４バイトのトンネルラベル（Tunnel Label）と、４バイトのスードワイヤラベル（PW Label）と、４バイトのＣＷと、ＭＡＣフレームとにより構成される。なお、ＣＷは、オプションとして用いられることがある。
【０１８５】
上述したＵＫＵ，ＫＵ，ＳＴＵＤＹ及びＤＣＤなどの各識別情報（フレームタイプ）は、オプション領域であるＣＷに設定されることができる。ここで、ＣＷは、少なくとも、予約領域（Reserved）と、シーケンス番号領域（Sequence Number）とを有する。
このため、本例では、例えば、ＣＷに含まれる予約領域をフレーム識別用の領域（フレーム識別フィールド）として用いてもよい。
【０１８６】
具体的には例えば、ＫＵを付与する場合は予約領域に１を設定し、ＵＫＵを付与する場合は予約領域に２を設定し、ＳＴＵＤＹを付与する場合は予約領域に３を設定し、ＤＣＤを付与する場合は予約領域に４を設定することができる。
これにより、本例によれば、フレーム構成を大幅に変更することなく、上記実施形態及び各変形例を実施することが可能となる。
【０１８７】
〔８〕その他
なお、上述した伝送システム、伝送装置１０、宛先管理装置２０、制御ユニット、伝送制御プログラムの各構成，各手段及び各機能は、必要に応じて取捨選択されてもよいし、適宜組み合わせられてもよい。即ち、上述した本発明の機能を発揮できるように、上記の各構成及び各機能を取捨選択したり、適宜組み合わせて用いたりしてもよい。
【０１８８】
また、上記ネットワークが有する複数のネットワーク構成要素のうち、少なくとも１つが伝送装置１０であってもよい。
以上の実施形態及び変形例に関し、さらに以下の付記を開示する。
〔９〕付記
（付記１）
ネットワークにおいてフレームを伝送する複数の伝送装置をそなえた伝送システムであって、
前記複数の伝送装置に接続されて前記フレームを送受信する複数の第１ポートと、
前記複数の第１ポートのうち前記フレームを受信した第１ポートと、当該第１ポートで受信した前記フレームに含まれる送信元アドレスとの間の対応関係を示すアドレスエントリを管理する管理部と、
前記複数の第１ポートのいずれかで受信したフレームに含まれる送信先アドレスに関する前記アドレスエントリが前記管理部で管理されている場合、前記アドレスエントリに基づいて、前記複数の第１ポートのいずれかで受信したフレームを前記複数の第１ポートのうち前記送信先アドレスと対応付けられた第１ポートに転送する転送制御部と、をそなえる宛先管理装置をそなえ、
前記複数の伝送装置のうちの少なくとも１つの伝送装置が、
前記ネットワーク内の他の伝送装置に接続されて前記フレームを送受信する複数の第２ポートと、
前記宛先管理装置に接続される第３ポートと、
前記複数の第２ポートのうち前記フレームを受信した第２ポートと、当該第２ポートで受信した前記フレームに含まれる送信元アドレスとの間の対応関係を示すアドレスエントリを記憶する記憶部と、
前記複数の第２ポートのいずれかで受信したフレームに含まれる送信先アドレスに関する前記アドレスエントリが前記記憶部に記憶されていない場合、前記複数の第２ポートのいずれかで受信したフレームを前記第３ポートにのみ送信する送信制御部と、をそなえる、
ことを特徴とする、伝送システム。
【０１８９】
（付記２）
前記送信制御部が、
前記複数の第２ポートのいずれかで受信した前記フレームに含まれる前記送信先アドレスに関する前記アドレスエントリが前記記憶部に記憶されている場合、前記アドレスエントリに基づいて、前記複数の第２ポートのいずれかで受信したフレームを前記第３ポートと前記複数の第２ポートのうち前記送信先アドレスに対応付けられた第２ポートとに送信する、
ことを特徴とする、付記１記載の伝送システム。
【０１９０】
（付記３）
前記送信制御部が、
前記複数の第２ポートのいずれかで受信したフレームに含まれる送信先アドレスに関する前記アドレスエントリが前記記憶部に記憶されていない場合、前記複数の第２ポートのいずれかで受信したフレームが未学習であることを示す第１の識別情報を当該フレームに付与する一方、
前記複数の第２ポートのいずれかで受信したフレームに含まれる送信先アドレスに関する前記アドレスエントリが前記記憶部に記憶されている場合、前記複数の第２ポートのいずれかで受信したフレームが学習済みであることを示す第２の識別情報を当該フレームに付与する、
ことを特徴とする、付記１記載の伝送システム。
【０１９１】
（付記４）
前記第３ポートが、
前記フレームの送信元を少なくとも示すラベル情報を有するラベル付きフレームを前記宛先管理装置から受信し、
前記記憶部が、
前記第３ポートで受信した前記ラベル付きフレームに含まれる送信元アドレスと、前記複数の第２ポートのうち、前記ラベル情報により示される前記フレームの送信元に接続される第２ポートとの間の対応関係を示すアドレスエントリを記憶する、
ことを特徴とする、付記１記載の伝送システム。
【０１９２】
（付記５）
前記送信制御部が、
前記フレームを前記第３ポートと前記第２ポートとに送信してから所定の時間が経過するまでに、前記記憶部が記憶している前記アドレスエントリに対応付けられた送信先アドレスを有するフレームを受信した場合、当該フレームを前記アドレスエントリによって前記送信先アドレスと対応付けられた第２ポートにのみ送信する、
ことを特徴とする、付記１記載の伝送システム。
【０１９３】
（付記６）
前記所定の時間が、
前記宛先管理装置によって管理される前記フレームの宛先を消去するための第１のエージングタイム以下である、
ことを特徴とする、付記５記載の伝送システム。
【０１９４】
（付記７）
前記宛先管理装置によって管理される前記フレームの宛先に関する情報を消去するための第１のエージングタイムが、
前記記憶部が記憶する前記フレームの宛先に関する情報を消去するための第２のエージングタイム以上である、
ことを特徴とする、付記１〜６のいずれか１項に記載の伝送システム。
【０１９５】
（付記８）
前記第３ポートが、
フレームの廃棄を示す情報を有する廃棄情報付きフレームを前記宛先管理装置から受信し、
前記送信制御部が、
前記廃棄情報付きフレームに含まれる送信元アドレス宛のフレームを送信しない、
ことを特徴とする、付記１〜７のいずれか１項に記載の伝送システム。
【０１９６】
（付記９）
前記転送制御部が、
前記複数の第１ポートのいずれかで受信したフレームが有する所定の識別情報に基づいて、当該フレームの転送先を決定する、
ことを特徴とする、付記１記載の伝送システム。
【０１９７】
（付記１０）
前記転送制御部が、
前記所定の識別情報が前記伝送装置においてフレームが未学習であることを示す第１の識別情報である場合、前記管理部で管理されている前記アドレスエントリに基づいて、前記第１の識別情報を有するフレームを前記複数の第１ポートのうち当該フレームが有する送信先アドレスに対応付けられた第１ポートへ転送する一方、
前記所定の識別情報が前記伝送装置においてフレームが学習済みであることを示す第２の識別情報である場合、前記第２の識別情報を有するフレームを転送しない、
ことを特徴とする、付記９記載の伝送システム。
【０１９８】
（付記１１）
前記転送制御部が、
前記所定の識別情報が前記伝送装置においてフレームが未学習であることを示す第１の識別情報である場合、前記管理部で管理されている前記アドレスエントリに基づいて、前記第１の識別情報を有するフレームを前記複数の第１ポートのうち当該フレームが有する送信先アドレスに対応付けられた第１ポートへ転送する一方、
前記所定の識別情報が前記伝送装置においてフレームが学習済みであることを示す第２の識別情報である場合、前記第２の識別情報を有するフレームを当該フレームが有する送信先アドレスとは異なる宛先へ転送する、
ことを特徴とする、付記９記載の伝送システム。
【０１９９】
（付記１２）
前記転送制御部が、
前記所定の識別情報が前記伝送装置においてフレームが未学習であることを示す第１の識別情報である場合、当該フレームの送信元へ宛先学習のためのフレームを転送する、
ことを特徴とする、付記９記載の伝送システム。
【０２００】
（付記１３）
前記転送制御部が、
前記所定の識別情報が前記伝送装置においてフレームが未学習であることを示す第１の識別情報であり、且つ、当該フレームが有する送信先アドレスに関するアドレスエントリが前記管理部で管理されていない場合、フラッディング処理を実施する、
ことを特徴とする、付記９〜１２のいずれか１項に記載の伝送システム。
【０２０１】
（付記１４）
前記転送制御部が、
前記フラッディング処理が継続して行なわれた場合、前記フラッディング処理の対象であるフレームの前記伝送装置による送信を停止させるための情報を有する廃棄情報付きフレームを生成し、
前記フラッディング処理の対象である前記フレームの送信元である伝送装置へ前記廃棄情報付きフレームを送信する、
ことを特徴とする、付記１３記載の伝送システム。
【０２０２】
（付記１５）
前記宛先管理装置が、
主系宛先管理装置と、少なくとも１つの従系宛先管理装置とをそなえ、
前記従系宛先管理装置が、
前記主系宛先管理装置での障害の発生を監視し、
前記監視結果に基づいて、前記主系宛先管理装置と前記従系宛先管理装置との切り替えを行なう、
ことを特徴とする、付記１記載の伝送システム。
【０２０３】
（付記１６）
ネットワークにおいてフレームを伝送する複数の伝送装置をそなえた伝送システムにおける前記複数の伝送装置のうちの一の伝送装置であって、
前記ネットワーク内の他の伝送装置に接続されて前記フレームを送受信する複数の第２ポートと、
前記複数の伝送装置に接続されて前記フレームを送受信する複数の第１ポートと、前記複数の第１ポートのうち前記フレームを受信した第１ポートと、当該第１ポートで受信した前記フレームに含まれる送信元アドレスとの間の対応関係を示すアドレスエントリを管理する管理部と、前記複数の第１ポートのいずれかで受信したフレームに含まれる送信先アドレスに関する前記アドレスエントリが前記管理部で管理されている場合、前記アドレスエントリに基づいて、前記複数の第１ポートのいずれかで受信したフレームを前記複数の第１ポートのうち前記送信先アドレスと対応付けられた第１ポートに転送する転送制御部と、をそなえる宛先管理装置に接続される第３ポートと、
前記複数の第２ポートのうち前記フレームを受信した第２ポートと、当該第２ポートで受信した前記フレームに含まれる送信元アドレスとの間の対応関係を示すアドレスエントリを記憶する記憶部と、
前記複数の第２ポートのいずれかで受信したフレームに含まれる送信先アドレスに関する前記アドレスエントリが前記記憶部に記憶されていない場合、前記複数の第２ポートのいずれかで受信したフレームを前記第３ポートにのみ送信する送信制御部と、をそなえる、
ことを特徴とする、伝送装置。
【０２０４】
（付記１７）
前記送信制御部が、
前記複数の第２ポートのいずれかで受信した前記フレームに含まれる前記送信先アドレスに関する前記アドレスエントリが前記記憶部に記憶されている場合、前記アドレスエントリに基づいて、前記複数の第２ポートのいずれかで受信したフレームを前記第３ポートと前記複数の第２ポートのうち前記送信先アドレスに対応付けられた第２ポートとに送信する、
ことを特徴とする、付記１６記載の伝送装置。
【０２０５】
（付記１８）
前記送信制御部が、
前記複数の第２ポートのいずれかで受信したフレームに含まれる送信先アドレスに関する前記アドレスエントリが前記記憶部に記憶されていない場合、前記複数の第２ポートのいずれかで受信したフレームが未学習であることを示す第１の識別情報を当該フレームに付与する一方、
前記複数の第２ポートのいずれかで受信したフレームに含まれる送信先アドレスに関する前記アドレスエントリが前記記憶部に記憶されている場合、前記複数の第２ポートのいずれかで受信したフレームが学習済みであることを示す第２の識別情報を当該フレームに付与する、
ことを特徴とする、付記１７記載の伝送装置。
【０２０６】
（付記１９）
前記第３ポートが、
前記フレームの送信元を少なくとも示すラベル情報を有するラベル付きフレームを前記宛先管理装置から受信し、
前記記憶部が、
前記第３ポートで受信した前記ラベル付きフレームに含まれる送信元アドレスと、前記複数の第２ポートのうち、前記ラベル情報により示される前記フレームの送信元に接続される第２ポートとの間の対応関係を示すアドレスエントリを記憶する、
ことを特徴とする、付記１６〜１８のいずれか１項に記載の伝送装置。
【０２０７】
（付記２０）
前記送信制御部が、
前記フレームを前記第３ポートと前記第２ポートとに送信してから所定の時間が経過するまでに、前記記憶部が記憶している前記アドレスエントリに対応付けられた送信先アドレスを有するフレームを受信した場合、当該フレームを前記アドレスエントリによって前記送信先アドレスと対応付けられた第２ポートにのみ送信する、
ことを特徴とする、付記１７〜１９のいずれか１項に記載の伝送装置。
【０２０８】
（付記２１）
前記所定の時間が、
前記宛先管理装置によって管理される前記フレームの宛先を消去するための第１のエージングタイム以下である、
ことを特徴とする、付記２０記載の伝送装置。
【０２０９】
（付記２２）
前記宛先管理装置によって管理される前記フレームの宛先に関する情報を消去するための第１のエージングタイムが、
前記記憶部が記憶する前記フレームの宛先に関する情報を消去するための第２のエージングタイム以上である、
ことを特徴とする、付記１６〜２１のいずれか１項に記載の伝送装置。
【０２１０】
（付記２３）
前記第３ポートが、
フレームの廃棄を示す情報を有する廃棄情報付きフレームを前記宛先管理装置から受信し、
前記送信制御部が、
前記廃棄情報付きフレームに含まれる送信元アドレス宛のフレームを送信しない、
ことを特徴とする、付記１６〜２２のいずれか１項に記載の伝送装置。
【０２１１】
（付記２４）
ネットワークにおいてフレームを伝送する複数の伝送装置をそなえた伝送システムに用いられる宛先管理装置であって、
前記複数の伝送装置に接続されて前記フレームを送受信する複数の第１ポートと、
前記複数の第１ポートのうち前記フレームを受信した第１ポートと、当該第１ポートで受信した前記フレームに含まれる送信元アドレスとの間の対応関係を示すアドレスエントリを管理する管理部と、
前記複数の第１ポートのいずれかで受信したフレームに含まれる送信先アドレスに関する前記アドレスエントリが前記管理部で管理されている場合、前記アドレスエントリに基づいて、前記複数の第１ポートのいずれかで受信したフレームを前記複数の第１ポートのうち前記送信先アドレスと対応付けられた第１ポートに転送する転送制御部と、をそなえる、
ことを特徴とする、宛先管理装置。
【０２１２】
（付記２５）
前記転送制御部が、
前記複数の第１ポートのいずれかで受信したフレームが有する所定の識別情報に基づいて、当該フレームの転送先を決定する、
ことを特徴とする、付記２４記載の宛先管理装置。
【０２１３】
（付記２６）
前記転送制御部が、
前記所定の識別情報が前記伝送装置においてフレームが未学習であることを示す第１の識別情報である場合、前記管理部で管理されている前記アドレスエントリに基づいて、前記第１の識別情報を有するフレームを前記複数の第１ポートのうち当該フレームが有する送信先アドレスに対応付けられた第１ポートへ転送する一方、
前記所定の識別情報が前記伝送装置においてフレームが学習済みであることを示す第２の識別情報である場合、前記第２の識別情報を有するフレームを転送しない、
ことを特徴とする、付記２５記載の宛先管理装置。
【０２１４】
（付記２７）
前記転送制御部が、
前記所定の識別情報が前記伝送装置においてフレームが未学習であることを示す第１の識別情報である場合、前記管理部で管理されている前記アドレスエントリに基づいて、前記第１の識別情報を有するフレームを前記複数の第１ポートのうち当該フレームが有する送信先アドレスに対応付けられた第１ポートへ転送する一方、
前記所定の識別情報が前記伝送装置においてフレームが学習済みであることを示す第２の識別情報である場合、前記第２の識別情報を有するフレームを当該フレームが有する送信先アドレスとは異なる宛先へ転送する、
ことを特徴とする、付記２５記載の宛先管理装置。
【０２１５】
（付記２８）
前記転送制御部が、
前記所定の識別情報が前記伝送装置においてフレームが未学習であることを示す第１の識別情報である場合、当該フレームの送信元へ宛先学習のためのフレームを転送する、
ことを特徴とする、付記２５記載の宛先管理装置。
【０２１６】
（付記２９）
前記転送制御部が、
前記所定の識別情報が前記伝送装置においてフレームが未学習であることを示す第１の識別情報であり、且つ、当該フレームが有する送信先アドレスに関するアドレスエントリが前記管理部で管理されていない場合、フラッディング処理を実施する、
ことを特徴とする、付記２５〜２８のいずれか１項に記載の宛先管理装置。
【０２１７】
（付記３０）
前記転送制御部が、
前記フラッディング処理が継続して行なわれた場合、前記フラッディング処理の対象であるフレームの前記伝送装置による送信を停止させるための情報を有する廃棄情報付きフレームを生成し、
前記フラッディング処理の対象である前記フレームの送信元である伝送装置へ前記廃棄情報付きフレームを送信する、
ことを特徴とする、付記２９記載の宛先管理装置。
【０２１８】
（付記３１）
ネットワークにおいてフレームを伝送する複数の伝送装置をそなえた伝送システムにおける前記複数の伝送装置のうちの一の伝送装置に用いられる制御ユニットであって、
前記一の伝送装置が、
前記ネットワーク内の他の伝送装置に接続されて前記フレームを送受信する複数の第２ポートと、
前記複数の伝送装置に接続されて前記フレームを送受信する複数の第１ポートと、前記複数の第１ポートのうち前記フレームを受信した第１ポートと、当該第１ポートで受信した前記フレームに含まれる送信元アドレスとの間の対応関係を示すアドレスエントリを管理する管理部と、前記複数の第１ポートのいずれかで受信したフレームに含まれる送信先アドレスに関する前記アドレスエントリが前記管理部で管理されている場合、前記アドレスエントリに基づいて、前記複数の第１ポートのいずれかで受信したフレームを前記複数の第１ポートのうち前記送信先アドレスと対応付けられた第１ポートに転送する転送制御部と、をそなえる宛先管理装置に接続される第３ポートと、
前記複数の第２ポートのうち前記フレームを受信した第２ポートと、当該第２ポートで受信した前記フレームに含まれる送信元アドレスとの間の対応関係を示すアドレスエントリを記憶する記憶部と、をそなえ、
前記制御ユニットが、
前記複数の第２ポートのいずれかで受信したフレームに含まれる送信先アドレスに関する前記アドレスエントリが前記記憶部に記憶されているかどうかを判定する手段と、
前記複数の第２ポートのいずれかで受信したフレームに含まれる送信先アドレスに関する前記アドレスエントリが前記記憶部に記憶されていないと判定した場合、前記複数の第２ポートのいずれかで受信したフレームを前記第３ポートにのみ送信する制御を行なう手段と、をそなえる、
ことを特徴とする、制御ユニット。
【０２１９】
（付記３２）
ネットワークにおいてフレームを伝送する複数の伝送装置をそなえた伝送システムにおける前記複数の伝送装置のうちの一の伝送装置であって、前記ネットワーク内の他の伝送装置に接続されて前記フレームを送受信する複数の第２ポートと、前記複数の伝送装置に接続されて前記フレームを送受信する複数の第１ポート，前記複数の第１ポートのうち前記フレームを受信した第１ポートと当該第１ポートで受信した前記フレームに含まれる送信元アドレスとの間の対応関係を示すアドレスエントリを管理する管理部，及び，前記複数の第１ポートのいずれかで受信したフレームに含まれる送信先アドレスに関する前記アドレスエントリが前記管理部で管理されている場合、前記アドレスエントリに基づいて、前記複数の第１ポートのいずれかで受信したフレームを前記複数の第１ポートのうち前記送信先アドレスと対応付けられた第１ポートに転送する転送制御部をそなえる宛先管理装置に接続される第３ポートと、前記複数の第２ポートのうち前記フレームを受信した第２ポートと、当該第２ポートで受信した前記フレームに含まれる送信元アドレスとの間の対応関係を示すアドレスエントリを記憶する記憶部とをそなえる前記一の伝送装置において、前記フレームを伝送する機能をコンピュータに実現させるための伝送制御プログラムであって、
前記複数の第２ポートのいずれかで受信したフレームに含まれる送信先アドレスに関する前記アドレスエントリが前記記憶部に記憶されているかどうかを判定する判定機能と、
前記判定機能による判定の結果、前記複数の第２ポートのいずれかで受信したフレームに含まれる送信先アドレスに関する前記アドレスエントリが前記記憶部に記憶されていないと判定された場合、前記複数の第２ポートのいずれかで受信したフレームを前記第３ポートにのみ送信する制御を行なう伝送制御機能と、を前記コンピュータに実現させる、
ことを特徴とする、伝送制御プログラム。  （付記３３）
ネットワークにおいてフレームを伝送する複数の伝送装置をそなえた伝送システムにおける前記複数の伝送装置のうちの一の伝送装置であって、前記ネットワーク内の他の伝送装置に接続されて前記フレームを送受信する複数の第２ポートと、前記複数の伝送装置に接続されて前記フレームを送受信する複数の第１ポート，前記複数の第１ポートのうち前記フレームを受信した第１ポートと当該第１ポートで受信した前記フレームに含まれる送信元アドレスとの間の対応関係を示すアドレスエントリを管理する管理部，及び，前記複数の第１ポートのいずれかで受信したフレームに含まれる送信先アドレスに関する前記アドレスエントリが前記管理部で管理されている場合、前記アドレスエントリに基づいて、前記複数の第１ポートのいずれかで受信したフレームを前記複数の第１ポートのうち前記送信先アドレスと対応付けられた第１ポートに転送する転送制御部をそなえる宛先管理装置に接続される第３ポートと、前記複数の第２ポートのうち前記フレームを受信した第２ポートと、当該第２ポートで受信した前記フレームに含まれる送信元アドレスとの間の対応関係を示すアドレスエントリを記憶する記憶部とをそなえる前記一の伝送装置において、前記フレームを伝送する機能をコンピュータに実現させるための伝送制御プログラムを記録したコンピュータ読み取り可能な記録媒体であって、
前記複数の第２ポートのいずれかで受信したフレームに含まれる送信先アドレスに関する前記アドレスエントリが前記記憶部に記憶されているかどうかを判定する判定機能と、
前記判定機能による判定の結果、前記複数の第２ポートのいずれかで受信したフレームに含まれる送信先アドレスに関する前記アドレスエントリが前記記憶部に記憶されていないと判定された場合、前記複数の第２ポートのいずれかで受信したフレームを前記第３ポートにのみ送信する制御を行なう伝送制御機能と、を前記コンピュータに実現させる、
ことを特徴とする、伝送制御プログラムを記録したコンピュータ読み取り可能な記録媒体。
【符号の説明】
【０２２０】
１０  伝送装置
２０，２０−１，２０−２  宛先管理装置
１１  記憶部
１２  送信制御部
１１１，２１１  ＭＡＣテーブル
１１２，２１２  ラベルテーブル
１２１，２２１  送信元アドレス学習部
１２２，２２２  送信先アドレス検索部
１２３，２２３  出力ポート決定部
１２４  フレームタイプ付与部
１２５  ラベル付与部
１２６  フレーム処理部
１２７，２２７  バッファ
２１  管理部
２２  転送制御部
２２４  フレームタイプ識別部
２２５  ラベル検索／付与部
１１０，１２３，１３０  端末
１１１  無線アクセスポイント
１１２，１１４，１２２，１３１  レイヤ２スイッチ
１１３  ルータ
１２０  マスタルータ
１２１  バックアップルータ
１２４  バックボーンルータ
【図１】
0005516142.tif 000002
【図２】
0005516142.tif 000003
【図３】
0005516142.tif 000004
【図４】
0005516142.tif 000005
【図５】
0005516142.tif 000006
【図６】
0005516142.tif 000007
【図７】
0005516142.tif 000008
【図８】
0005516142.tif 000009
【図９】
0005516142.tif 000010
【図１０】
0005516142.tif 000011
【図１１】
0005516142.tif 000012
【図１２】
0005516142.tif 000013
【図１３】
0005516142.tif 000014
【図１４】
0005516142.tif 000015
【図１５】
0005516142.tif 000016
【図１６】
0005516142.tif 000017
【図１７】
0005516142.tif 000018
【図１８】
0005516142.tif 000019
【図１９】
0005516142.tif 000020
【図２０】
0005516142.tif 000021
【図２１】
0005516142.tif 000022
【図２２】
0005516142.tif 000023
【図２３】
0005516142.tif 000024
【図２４】
0005516142.tif 000025
【図２５】
0005516142.tif 000026
【図２６】
0005516142.tif 000027
【図２７】
0005516142.tif 000028
【図２８】
0005516142.tif 000029
【図２９】
0005516142.tif 000030
【図３０】
0005516142.tif 000031
【図３１】
0005516142.tif 000032
【図３２】
0005516142.tif 000033